(57)【特許請求の範囲】
【請求項１】
ワイヤレス通信ネットワークにおいてモバイルエンティティの送信電力を制御するための方法であって、
前記ワイヤレス通信ネットワークのサービングＮｏｄｅＢと前記モバイルエンティティとの間のワイヤレスリンクの経路損失が前記ワイヤレスネットワークの非サービングＮｏｄｅＢと前記モバイルエンティティとの間のワイヤレスリンクの経路損失の最小値を超える量を示す、差を決定することと、
前記差に比例して、前記サービングＮｏｄｅＢへの高速専用物理制御チャネル上での送信に関するトラフィック対パイロット送信電力オフセットを引き上げるように、前記モバイルエンティティに命令することとを備える、方法。
【請求項２】
前記差を決定することが、前記モバイルエンティティによって報告された前記サービングＮｏｄｅＢと前記モバイルエンティティとの間の経路損失を、前記モバイルエンティティによって報告された前記非サービングＮｏｄｅＢと前記モバイルエンティティとの間の１つまたは複数の経路損失の最小値と比較することをさらに備える、請求項１に記載の方法。
【請求項３】
前記差を決定することが、前記サービングＮｏｄｅＢからの受信総広帯域電力（ＲＴＷＰ）を前記非サービングＮｏｄｅＢの１つまたは複数からのＲＴＷＰの最小値と比較することをさらに備える、請求項２に記載の方法。
【請求項４】
前記差を決定することが、前記サービングＮｏｄｅＢからの前記経路損失およびＲＴＷＰの集計を、前記非サービングＮｏｄｅＢのうちの１つまたは複数の中の前記経路損失およびＲＴＷＰの最小の集計と比較することをさらに備える、請求項３に記載の方法。
【請求項５】
前記差を決定することが、前記サービングＮｏｄｅＢに関する目標ＲＴＷＰを、前記非サービングＮｏｄｅＢの１つまたは複数によって報告された目標ＲＴＷＰの最小値と比較することをさらに備える、請求項２に記載の方法。
【請求項６】
前記差を決定することが、前記サービングＮｏｄｅＢに関する前記経路損失および目標ＲＴＷＰの集計を、前記非サービングＮｏｄｅＢのうちの１つまたは複数の中の前記経路損失および前記目標ＲＴＷＰの最小の集計と比較することをさらに備える、請求項５に記載の方法。
【請求項７】
前記差を決定することが、前記サービングＮｏｄｅＢからの受信総広帯域電力（ＲＴＷＰ）を前記非サービングＮｏｄｅＢの１つまたは複数からのＲＴＷＰの最小値と比較することをさらに備える、請求項１に記載の方法。
【請求項８】
前記差を決定することが、前記サービングＮｏｄｅＢに関する目標ＲＴＷＰを、前記非サービングＮｏｄｅＢの１つまたは複数によって報告された目標ＲＴＷＰの最小値と比較することをさらに備える、請求項１に記載の方法。
【請求項９】
前記差を決定することが、前記ワイヤレス通信ネットワークのサービングＮｏｄｅＢの共通パイロットチャネル（ＣＰＩＣＨ）送信電力を、非サービングＮｏｄｅＢの最小ＣＰＩＣＨ送信電力と比較することをさらに備える、請求項１に記載の方法。
【請求項１０】
前記差を決定することが、前記サービングＮｏｄｅＢの受信総広帯域電力（ＲＴＷＰ）と前記サービングＮｏｄｅＢに関する目標ＲＴＷＰとのうちの少なくとも１つとともに集計された前記サービングＮｏｄｅＢの前記ＣＰＩＣＨ送信電力を、前記非サービングＮｏｄｅＢの１つまたは複数によって報告された前記非サービングＮｏｄｅＢの１つまたは複数の中の、ＣＰＩＣＨ送信電力と、ＲＴＷＰおよび目標ＲＴＷＰのうちの対応する１つとの最小の集計と、比較することをさらに備える、請求項９に記載の方法。
【請求項１１】
ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を決定し、前記差に比例して、前記サービングＮｏｄｅＢへの高速専用物理制御上での送信に関するトラフィック対パイロット送信電力オフセットを引き上げるように、前記モバイルエンティティに命令するように構成された、少なくとも１つのプロセッサと、
前記少なくとも１つのプロセッサに結合された、データを記憶するためのメモリとを備える、装置。
【請求項１２】
前記プロセッサが、前記モバイルエンティティによって報告された前記サービングＮｏｄｅＢと前記モバイルエンティティとの間の経路損失を、前記モバイルエンティティによって報告された前記非サービングＮｏｄｅＢと前記モバイルエンティティとの間の１つまたは複数の経路損失の最小値と比較することによって、前記差を決定するようにさらに構成された、請求項１１に記載の装置。
【請求項１３】
前記プロセッサが、前記サービングＮｏｄｅＢの受信総広帯域電力（ＲＴＷＰ）と前記サービングＮｏｄｅＢに関する目標ＲＴＷＰとのうちの少なくとも１つとともに集計された前記サービングＮｏｄｅＢからの前記経路損失を、前記非サービングＮｏｄｅＢの１つまたは複数によって報告された、前記非サービングＮｏｄｅＢの１つまたは複数の中の、前記経路損失と、ＲＴＷＰおよび目標ＲＴＷＰのうちの対応する１つとの、最小の集計と比較することによって、前記差を決定するようにさらに構成された、請求項１２に記載の装置。
【請求項１４】
前記プロセッサが、前記ワイヤレス通信ネットワークのサービングＮｏｄｅＢの共通パイロットチャネル（ＣＰＩＣＨ）送信電力を、非サービングＮｏｄｅＢの最小ＣＰＩＣＨ送信電力と比較することによって、前記差を決定するようにさらに構成された、請求項１１に記載の装置。
【請求項１５】
前記プロセッサが、前記サービングＮｏｄｅＢの受信総広帯域電力（ＲＴＷＰ）と前記サービングＮｏｄｅＢの目標ＲＴＷＰとのうちの少なくとも１つとともに集計された前記サービングＮｏｄｅＢの前記ＣＰＩＣＨ送信電力を、前記非サービングＮｏｄｅＢの１つまたは複数によって報告された、前記非サービングＮｏｄｅＢのうちの１つまたは複数の中の、ＣＰＩＣＨ送信電力と、ＲＴＷＰおよび目標ＲＴＷＰのうちの対応する１つとの、最小の集計と比較することによって、前記差を決定するようにさらに構成された、請求項１４に記載の装置。
【請求項１６】
ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクの経路損失の最小値を超える量を示す、差を決定する手段と、
前記差に比例して、前記サービングＮｏｄｅＢへの高速専用物理制御上での送信に関するトラフィック対パイロット送信電力オフセットを引き上げるように前記モバイルエンティティに命令する手段とを備える、装置。
【請求項１７】
コンピュータに、ワイヤレス通信ネットワークのサービングＮｏｄｅＢとモバイルエンティティとの間のワイヤレスリンクの経路損失が前記ワイヤレスネットワークの非サービングＮｏｄｅＢと前記モバイルエンティティとの間のワイヤレスリンクの経路損失の最小値を超える量を示す、差を決定させ、前記差に比例して、前記サービングＮｏｄｅＢへの高速専用物理制御上での送信に関するトラフィック対パイロット送信電力オフセットを引き上げるように、前記モバイルエンティティへ命令させるためのコード
を備える、コンピュータプログラム。
【請求項１８】
ワイヤレス通信ネットワークのモバイルエンティティにおいて送信電力を制御するための方法であって、
前記ワイヤレス通信ネットワークのサービングＮｏｄｅＢと前記モバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を受信することと、
前記差に比例して、前記サービングＮｏｄｅＢへの高速専用物理制御チャネル上での送信に関するトラフィック対パイロット送信電力オフセットを引き上げることとを備える、方法。
【請求項１９】
前記サービングＮｏｄｅＢと前記モバイルエンティティとの間の経路損失と、前記非サービングＮｏｄｅＢと前記モバイルエンティティとの間の１つまたは複数の経路損失とを、前記差を決定するために無線ネットワークコントローラに報告することをさらに備える、請求項１８に記載の方法。
【請求項２０】
前記サービングＮｏｄｅＢからの受信総広帯域電力（ＲＴＷＰ）と、前記非サービングＮｏｄｅＢの１つまたは複数からのＲＴＷＰとを、前記差を決定するために無線ネットワークコントローラに報告することをさらに備える、請求項１８に記載の方法。
【請求項２１】
ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を受信し、前記差に比例して、前記サービングＮｏｄｅＢへの高速専用物理制御チャネル上での送信に関するトラフィック対パイロット送信電力オフセットを引き上げるように構成された、少なくとも１つのプロセッサと、
前記少なくとも１つのプロセッサに結合された、データを記憶するためのメモリと
を備える、装置。
【請求項２２】
前記プロセッサが、前記サービングＮｏｄｅＢと前記モバイルエンティティとの間の経路損失と、前記非サービングＮｏｄｅＢと前記モバイルエンティティとの間の１つまたは複数の経路損失とを、前記差を決定するために無線ネットワークコントローラに報告するようにさらに構成された、請求項２１に記載の装置。
【請求項２３】
前記プロセッサが、前記サービングＮｏｄｅＢからの受信総広帯域電力（ＲＴＷＰ）と、前記非サービングＮｏｄｅＢの１つまたは複数からのＲＴＷＰとを、前記差を決定するために無線ネットワークコントローラに報告するようにさらに構成された、請求項２１に記載の装置。
【請求項２４】
ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を受信する手段と、
前記差に比例して、前記サービングＮｏｄｅＢへの高速専用物理制御チャネル上での送信に関するトラフィック対パイロット送信電力オフセットを引き上げる手段と
を備える、装置。
【請求項２５】
コンピュータに、ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクの経路損失の最小値を超える量を示す、差を受信させ、前記差に比例して、前記サービングＮｏｄｅＢへの高速専用物理制御上での送信に関するトラフィック対パイロット送信電力オフセットを引き上げさせるためのコードを備える、
コンピュータプログラム。
【発明の詳細な説明】
【技術分野】
【０００１】
関連出願の相互参照
本出願は、米国特許法第１１９条（ｅ）に従って、その全体が参照により本明細書に組み込まれる、２０１０年１２月１０日に出願された米国仮出願第６１／４２２，０１４号の優先権を主張する。
【０００２】
本出願は、概して、ワイヤレス通信に関し、より詳細には、ソフトハンドオーバー手順における、高速専用物理制御チャネル復号の管理に関する。
【背景技術】
【０００３】
第３世代パートナーシッププロジェクト（３ＧＰＰ：3rd Generation Partnership Project）ロングタームエボリューション（ＬＴＥ：Long Term Evolution）は、セルラー技術における大きな進歩を表し、移動体通信用グローバルシステム（ＧＳＭ（登録商標）：Global System for Mobile Communications）およびユニバーサルモバイルテレコミュニケーションシステム（ＵＭＴＳ：Universal Mobile Telecommunications System）の自然な進化としての、セルラー３Ｇサービスにおける次のステップの前進である。ＬＴＥ物理層（ＰＨＹ）は、ｅｖｏｌｖｅｄ  ＮｏｄｅＢ（ｅＮＢ）と、モバイルエンティティ（ＭＥ）、たとえばアクセス端末（ＡＴ）またはユーザ機器（ＵＥ）など、との間で、データと制御情報の両方を搬送する高効率の手段である。ＬＴＥ  ＰＨＹは、セルラー用途にとって新しいいくつかの先進技術を採用する。これらは、直交周波数分割多重化（ＯＦＤＭ）と、多入力多出力（ＭＩＭＯ）データ送信とを含む。さらに、ＬＴＥ  ＰＨＹは、ダウンリンク（ＤＬ、「順方向リンク」とも呼ばれる）上では直交周波数分割多元接続（ＯＦＤＭＡ）を使用し、アップリンク（ＵＬ、「逆方向リンク」とも呼ばれる）上ではシングルキャリア周波数分割多元接続（ＳＣ−ＦＤＭＡ）を使用する。ＯＦＤＭＡは、データが、指定された数のシンボル期間について、サブキャリアごとに、複数のユーザに向けられ、または複数のユーザから導かれることを可能にする。
【０００４】
音声およびデータのような様々な種類の通信コンテンツを提供するために広く展開されている、より古いワイヤレス通信システムの例には、ＣＤＭＡ２０００を含む符号分割多元接続（ＣＤＭＡ）システム、広帯域ＣＤＭＡ、移動体通信用グローバルシステム（ＧＳＭ（登録商標））、およびユニバーサルモバイルテレコミュニケーションシステム（ＵＭＴＳ）がある。これらのワイヤレス通信システムおよびＬＴＥシステムは一般に、異なる無線接続技術（ＲＡＴ）および通信プロトコルを用い、異なる周波数帯で動作し、異なるサービス品質（ＱｏＳ）を提供し、異なる種類のサービスおよびアプリケーションをシステムユーザに対して提供する。
【０００５】
マルチプルな異種ワイヤレス通信システムにおいて動作可能なマルチプルモードのモバイルエンティティが、異なる通信システムとともに用いるために、一般に利用可能である。たとえば、現在、多くの地理的エリアがマルチプルなワイヤレス通信システムによってサービスされており、そうしたワイヤレス通信システムの各々は、１つまたは複数の異なる無線インターフェース技術を利用していることがある。そのようなネットワーク環境におけるワイヤレス端末の汎用性を向上させるために、近年、複数の無線技術で動作できる、マルチモードワイヤレス端末に対する志向が増大してきている。マルチモードの実装によって、端末は、ある地理的エリアにおいて、各々が異なる無線インターフェース技術を利用し得る複数のシステムの中からシステムを選択し、その後１つまたは複数の選択されたシステムと通信することが可能になり得る。代替的に、または追加的に、異種の通信システムは、様々な異なる電力レベルで送信するアクセスポイント、たとえば、高電力のマクロセル中に点在する低電力のフェムトセルまたはピコセルを含み得る。加えて、アクセスポイント、たとえば低電力のアクセスポイントは、システム内において、アドホックにまたは無計画に配置され得る。その結果、システムオペレータの識別情報およびシステム技術の選好の何らかの順序に従って、異なるシステムおよびアクセスポイントが、同一のＭＥにアクセス可能になり得る。こうした状態は、たとえばアクセス端末が多様なアクセスポイントと通信していることのあるソフトハンドオーバーの状況において、ユーザ機器、端末および他のノードのためにマルチプルモードを効率的に管理する際の、新たな問題および課題を生み出す。
【発明の概要】
【０００６】
本出願は、ソフトハンドオーバー手順における、高速専用物理制御チャネル（ＨＳ−ＤＰＣＣＨ）の復号の管理のための、改善された方法および装置を開示する。本明細書でより詳細に説明されるように、ＨＳ−ＤＰＣＣＨの復号は、ＨＳ−ＤＰＣＣＨ送信電力、共通パイロットチャネル（ＣＰＩＣＨ）送信電力、または他の電力ファクタに関連し得る。したがって、ＨＳ−ＤＰＣＣＨの復号の管理は、送信電力を制御すること、電力ファクタに応じてサービングノードを選択すること、このセクションでは概要を述べ、詳細な説明においてより詳しく説明する、他の電力関連操作および方法の、諸態様を含み得る。
【０００７】
一態様では、基地局は、ワイヤレス通信ネットワークにおいてモバイルエンティティの送信電力を制御するための方法を実行することができる。この方法は、限定する目的ではなく単に識別のために、本明細書では経路損失差分法とも呼ばれる。この方法は、ワイヤレス通信ネットワークのサービングＮｏｄｅＢとモバイルエンティティとの間のワイヤレスリンクの経路損失がワイヤレスネットワークの非サービングＮｏｄｅＢとモバイルエンティティとの間のワイヤレスリンクの経路損失の最小値を超える量を示す、差を決定することを含むことができる。この方法はさらに、差に比例して、高速専用物理制御チャネル上でのサービングＮｏｄｅＢへの送信に関するトラフィック対パイロット送信電力オフセットを引き上げる（boost）ように、モバイルエンティティに命令することを含むことができる。
【０００８】
前述の方法の一態様では、差を決定することは、モバイルエンティティによって報告されたサービングＮｏｄｅＢとモバイルエンティティとの間の経路損失を、モバイルエンティティによって報告された非サービングＮｏｄｅＢとモバイルエンティティとの間の１つまたは複数の経路損失の最小値と比較することをさらに含むことができる。加えて、差を決定することは、サービングＮｏｄｅＢからの受信総広帯域電力（ＲＴＷＰ：received total wideband power）を、非サービングＮｏｄｅＢのうちの１つまたは複数からのＲＴＷＰの最小値と比較することを含むことができる。より具体的な態様では、差を決定することは、サービングＮｏｄｅＢからの経路損失とＲＴＷＰとの集計（aggregation）を、非サービングＮｏｄｅＢのうちの１つまたは複数の中の経路損失とＲＴＷＰとの最小の集計と比較することをさらに含むことができる。
【０００９】
代替的な態様では、差を決定することは、サービングＮｏｄｅＢについての目標ＲＴＷＰを、非サービングＮｏｄｅＢの１つまたは複数によって報告された目標ＲＴＷＰの最小値と比較することをさらに含むことができる。方法のそのような実施形態では、差を決定することは、サービングＮｏｄｅＢの経路損失と目標ＲＴＷＰとの集計を、非サービングＮｏｄｅＢの１つまたは複数の中の経路損失と目標ＲＴＷＰとの最小の集計と比較することをさらに含むことができる。
【００１０】
別の代替的な態様では、差を決定することは、モバイルエンティティによって報告されたサービングＮｏｄｅＢからの受信ＲＴＷＰを、モバイルエンティティによって報告された非サービングＮｏｄｅＢのうちの１つまたは複数からのＲＴＷＰの最小値と比較することをさらに含むことができる。代替的に、または追加的に、差を決定することは、サービングＮｏｄｅＢについての目標ＲＴＷＰを、非サービングＮｏｄｅＢのうちの１つまたは複数によって報告された目標ＲＴＷＰの最小値と比較することをさらに含むことができる。
【００１１】
別の代替的な態様では、差を決定することは、ワイヤレス通信ネットワークのサービングＮｏｄｅＢのＣＰＩＣＨ送信電力を、非サービングＮｏｄｅＢの最小ＣＰＩＣＨ送信電力と比較することをさらに含むことができる。この方法のそのような実施形態では、差を決定することは、モバイルエンティティによって報告されたサービングＮｏｄｅＢからのＲＴＷＰとサービングＮｏｄｅＢについての目標ＲＴＷＰとのうちの１つまたは両方とともに集計された、サービングＮｏｄｅＢのＣＰＩＣＨ送信電力を、非サービングＮｏｄｅＢのうちの１つまたは複数によって報告された、非サービングＮｏｄｅＢのうちの１つまたは複数の中のＣＰＩＣＨ送信電力とＲＴＷＰとの最小の集計と比較することをさらに含むことができる。
【００１２】
基地局または他のネットワークエンティティによって実行される、前述の経路損失差分法に相補的な方法が、基地局と通信しているモバイルエンティティによって実行され得る。ワイヤレス通信ネットワークのモバイルエンティティにおいて送信電力を制御するための、相補的な経路損失差分法は、モバイルエンティティとワイヤレス通信ネットワークのサービングＮｏｄｅＢとの間のワイヤレスリンクの経路損失がモバイルエンティティとワイヤレスネットワークの非サービングＮｏｄｅＢとの間のワイヤレスリンクの経路損失の最小値を超える量を示す、差を受信することを含むことができる。モバイルエンティティにより実行するための方法はさらに、差に比例して、高速専用物理制御チャネル上でのサービングＮｏｄｅＢへの送信に関するトラフィック対パイロット送信電力オフセットを引き上げることを含むことができる。
【００１３】
別の態様では、モバイルエンティティにより実行するための相補的な経路損失差分法は、サービングＮｏｄｅＢとモバイルエンティティとの間の経路損失と、非サービングＮｏｄｅＢとモバイルエンティティとの間の１つまたは複数の経路損失とを、差を決定するために無線ネットワークコントローラに報告することをさらに含むことができる。別の態様では、この方法は、サービングＮｏｄｅＢからのＲＴＷＰと非サービングＮｏｄｅＢのうちの１つまたは複数からのＲＴＷＰとを、差を決定するために無線ネットワークコントローラに報告することをさらに含むことができる。
【００１４】
関連する態様では、非サービング基地局（ＮｏｄｅＢ）は、ワイヤレス通信ネットワークの１つまたは複数のモバイルエンティティからのＣＰＩＣＨ送信についての経路損失を均等化する方法を実行することができる。この方法は、限定ではなく単に識別のために、本明細書ではサービング／非サービングＣＰＩＣＨ差分法とも呼ばれる。この方法は、減衰係数を、ゼロと、ワイヤレス通信ネットワークのサービングＮｏｄｅＢのＣＰＩＣＨ送信電力とモバイルエンティティに関わるソフトハンドオーバー手順に参加することが可能な非サービングＮｏｄｅＢのＣＰＩＣＨ送信電力との差と、から選択される最大値として決定することを含むことができる。この方法はさらに、減衰係数に応じて、たとえば減衰係数の値に比例した量において、非サービングＮｏｄｅＢにおいてモバイルエンティティからの電力を減衰させることを含むことができる。
【００１５】
一態様では、この方法は、減衰器ハードウェアを用いて、すべての入来するワイヤレス信号について非サービングＮｏｄｅＢにおいて電力を減衰させることを実行することを含むことができる。別の態様では、この方法は、アップリンク電力制御アルゴリズムにおいて推定される干渉プラスノイズを修正することによって、サービングＮｏｄｅＢによってサービスされるモバイルエンティティからのワイヤレス信号について非サービングＮｏｄｅＢにおいて電力を減衰させることを実行することを含むことができる。たとえば、アップリンク電力制御アルゴリズムは、非サービングＮｏｄｅＢに関するノイズフロアを差し引いた、非サービングＮｏｄｅＢへのモバイルエンティティリンクに関する減衰係数プラスノイズを加算することによって、推定される干渉プラスノイズを修正するように構成されることができる。
【００１６】
別の態様では、サービング／非サービングＣＰＩＣＨ差分法は、サービングＮｏｄｅＢからのワイヤレスブロードキャストを通じてサービングＮｏｄｅＢのＣＰＩＣＨ送信電力を取得することを含むことができる。代替的に、または追加的に、この方法は、バックホール接続を介したサービングＮｏｄｅＢへの要求によって、サービングＮｏｄｅＢのＣＰＩＣＨ送信電力を取得することを含むことができる。
【００１７】
ワイヤレス通信ネットワークのモバイルエンティティからの送信電力を制御するための別の方法は、信号対干渉（ＳＩＲ）目標調整量係数を決定したことに基づいて、ネットワークエンティティによって実行され得る。この方法は、限定ではなく単に識別のために、本明細書ではＳＩＲ目標調整方法とも呼ばれる。ＳＩＲ目標調整係数は、差分経路損失および電力経路損失のうちの少なくとも１つ、ＣＰＩＣＨ送信電力、ならびに、モバイルエンティティのサービングＮｏｄｅＢおよびサービングＮｏｄｅＢとのソフトハンドオーバー手順に参加することが可能な非サービングＮｏｄｅＢに関するＲＴＷＰ基準に基づいて、ＳＩＲ目標調整量係数を決定することを含むことができる。この方法は、ＳＩＲ目標調整係数に応じて、調整されたＳＩＲ目標を非サービングＮｏｄｅＢに与えることを含むことができる。ＳＩＲ目標調整方法のより詳細な態様では、ネットワークエンティティは、ゼロ、ならびに、（ａ）モバイルエンティティによって報告された、モバイルエンティティからの経路損失とワイヤレス通信ネットワークのサービングＮｏｄｅＢからのＲＴＷＰとの和と、（ｂ）モバイルエンティティによって報告された、モバイルエンティティからの経路損失と非サービングＮｏｄｅＢからのＲＴＷＰとの和との差、から選択される最大値（すなわち、これらのうちの大きい方）として、ＳＩＲ目標調整係数を決定することができる。代替的には、ネットワークエンティティは、ゼロと、サービングＮｏｄｅＢのＣＰＩＣＨ送信電力と非サービングＮｏｄｅＢのＣＰＩＣＨ送信電力との差と、から選択される最大値として、ＳＩＲ目標調整係数を決定することができる。
【００１８】
一態様では、ＳＩＲ目標調整法は、サービングＮｏｄｅＢと非サービングＮｏｄｅＢとの送信電力の差を組み込むように、ＳＩＲ目標調整係数を決定することを含むことができる。この方法は、サービングＮｏｄｅＢと非サービングＮｏｄｅＢとの目標ライズオーバーサーマル（ＲｏＴ：rise over thermal）ＲＴＷＰの差を組み込むように、ＳＩＲ目標調整係数を決定することを含むことができる。
【００１９】
相補的なＳＩＲ目標調整法は、モバイルエンティティからの送信電力を制御するために使用され得る。この方法は、差分経路損失と電力経路損失の少なくとも１つ、ＣＰＩＣＨ送信電力、ならびに、モバイルエンティティのサービングＮｏｄｅＢおよびサービングＮｏｄｅＢとのソフトハンドオーバー手順に参加することが可能な非サービングＮｏｄｅＢについてのＲＴＷＰ基準に基づいて、ＳＩＲ目標調整量係数を受信することを含むことができる。この方法はさらに、ＳＩＲ目標調整係数に従って、非サービングＮｏｄｅＢ上でＳＩＲ目標を調整することを含むことができる。関連する態様では、モバイルエンティティによる実行のための方法は、ＳＩＲ目標調整係数を決定するために、非サービングＮｏｄｅＢのＣＰＩＣＨ送信電力を無線ネットワークコントローラに提供することを含むことができる。この方法はさらに、ＳＩＲ目標調整係数によって調整されたＳＩＲ目標をモバイルエンティティに与えることを含むことができる。
【００２０】
別の態様では、ワイヤレス通信ネットワークにおいてモバイルエンティティのサービングＮｏｄｅＢを選択するための方法が、モバイルエンティティにおける総受信パワースペクトル密度に対するパイロットエネルギーのダウンリンク比（Ｅｃｐ／Ｉｏ）に基づいて、ネットワークエンティティによって実行され得る。この方法は、限定ではなく単に識別のために、本明細書ではＥｃｐ／Ｉｏ比法とも呼ばれる。Ｅｃｐ／Ｉｏ比法は、モバイルエンティティにおける総受信パワースペクトル密度に対するパイロットエネルギーのダウンリンク比（Ｅｃｐ／Ｉｏ）と、少なくとも１つの二次的な基準とを、ワイヤレスネットワークの複数のＮｏｄｅＢの各々について決定することを含むことができる。この方法はさらに、複数のＮｏｄｅＢについてＥｃｐ／Ｉｏの最大値を決定することを含むことができる。この方法はさらに、（ａ）選択されたＮｏｄｅＢが最大のＥｃｐ／Ｉｏよりも定義された量だけ少ないものを上回らないＥｃｐ／Ｉｏを有し、（ｂ）選択されたＮｏｄｅＢが二次的な基準に従って最大のＥｃｐ／Ｉｏを有するＮｏｄｅＢよりも高くランク付けられるように、モバイルエンティティのサービングＮｏｄｅＢとして、複数のＮｏｄｅＢから１つのＮｏｄｅＢを選択することを含むことができる。
【００２１】
Ｅｃｐ／Ｉｏ比法の一態様では、二次的な基準は、ダウンリンク負荷を含み、選択されたＮｏｄｅＢは、選択されたＮｏｄｅＢのダウンリンク負荷が最大のＥｃｐ／Ｉｏを有するＮｏｄｅＢのダウンリンク負荷よりも小さいことに応答して、より高くランク付けられる。別の態様では、二次的な基準は、アップリンク経路損失を含み、選択されたＮｏｄｅＢは、選択されたＮｏｄｅＢのアップリンク経路損失が最大のＥｃｐ／Ｉｏを有するＮｏｄｅＢのアップリンク経路損失よりも小さいことに応答して、より高くランク付けられる。別の態様では、二次的な基準は、アップリンクパワースペクトル密度を含み、選択されたＮｏｄｅＢは、選択されたＮｏｄｅＢのアップリンクパワースペクトル密度が最大のＥｃｐ／Ｉｏを有するＮｏｄｅＢのアップリンクパワースペクトル密度よりも小さいことに応答して、より高くランク付けられる。別の態様では、二次的な基準は、アップリンク経路損失とアップリンクパワースペクトル密度との和を含み、選択されたＮｏｄｅＢは、選択されたＮｏｄｅＢのアップリンク経路損失とアップリンクパワースペクトル密度との和が最大のＥｃｐ／Ｉｏを有するＮｏｄｅＢのアップリンク経路損失とアップリンクパワースペクトル密度との和よりも小さいことに応答して、より高くランク付けられる。別の態様では、二次的な基準は電力リソースを含み、選択されたＮｏｄｅＢは、選択されたＮｏｄｅＢの電力リソースが最大のＥｃｐ／Ｉｏを有するＮｏｄｅＢの電力リソースよりも大きいことに応答して、より高くランク付けられる。
【００２２】
関連する態様では、以上で概要を説明した方法および方法の態様のいずれかを実行するための、ワイヤレス通信装置が提供される。装置は、たとえば、メモリに結合されたプロセッサであって、メモリが、前述した動作を装置に実行させるためにプロセッサが実行するための命令を保持する、プロセッサを含むことができる。そのような装置のいくつかの態様（たとえば、ハードウェア態様）は、ワイヤレス通信のために使用される様々なタイプのモバイルエンティティまたは基地局のような機器によって例示される。同様に、プロセッサによって実行されたときに、以上で概要を説明した方法および方法の態様をワイヤレス通信装置に実行させる、符号化された命令を保持する非一時的コンピュータ可読記憶媒体を含む、製品が提供される。
【図面の簡単な説明】
【００２３】
【図１】多元接続ワイヤレス通信システムを示す図。
【図２】通信システムのブロック図。
【図３】複数のユーザをサポートするように構成されたワイヤレス通信システムを示す図。
【図４】ネットワーク環境内でのフェムトノードの配置を可能にするための例示的な通信システムを示す図。
【図５】いくつかのトラッキングエリアが定義されたカバレッジマップの一例を示す図。
【図６】ソフトハンドオーバー中に制御チャネル復号問題を引き起こすシステム構成の一例を示す図。
【図７】モバイルエンティティの送信電力を制御するために、無線ネットワークコントローラまたはアクセスノードにおいて差を決定するための例示的な方法を示す図。
【図８Ａ】図７の方法のさらなる態様を示す図。
【図８Ｂ】図７の方法のさらなる態様を示す図。
【図８Ｃ】図７の方法のさらなる態様を示す図。
【図９】モバイルエンティティの送信電力を制御するために、無線ネットワークコントローラまたはアクセスノードにおいて差を決定するための例示的な装置を示す図。
【図１０】差のパラメータに応じて、モバイルエンティティにおける送信電力を制御するための例示的な方法を示す図。
【図１１】差のパラメータに応じて、モバイルエンティティにおける送信電力を制御するための例示的な装置を示す図。
【図１２】非サービングＮｏｄｅＢにおける減衰の制御を用いて、モバイルエンティティの送信電力を制御するための例示的な方法を示す図。
【図１３】非サービングＮｏｄｅＢにおける減衰の制御を用いて、モバイルエンティティの送信電力を制御するための例示的な装置を示す図。
【図１４】モバイルエンティティの送信電力を制御するために、無線アクセスコントローラまたはアクセスノードから非サービングＮｏｄｅＢへと、調整された信号対干渉（ＳＩＲ）目標を提供するための例示的な方法を示す図。
【図１５】図１４の方法のさらなる態様を示す図。
【図１６】モバイルエンティティの送信電力を制御するために、無線アクセスコントローラまたはアクセスノードから非サービングＮｏｄｅＢへと、調整されたＳＩＲ目標を与えるための例示的な装置を示す図。
【図１７】モバイルエンティティの送信電力を制御するために、非サービングＮｏｄｅＢにおいて、無線アクセスコントローラまたはアクセスノードからの調整されたＳＩＲ目標を用いるための例示的な方法を示す図。
【図１８】モバイルエンティティの送信電力を制御するために、非サービングＮｏｄｅＢにおいて、無線アクセスコントローラまたはアクセスノードからの調整されたＳＩＲ目標を用いるための例示的な装置を示す図。
【図１９】ソフトハンドオーバー中の専用物理制御チャネル復号問題を最小限に抑えるまたは回避するようにサービングＮｏｄｅＢを選択するための例示的な方法を示す図。
【図２０】図１９の方法のさらなる態様を示す図。
【図２１】ソフトハンドオーバーの間の専用物理制御チャネル復号問題を最小限に抑えるまたは回避するようにサービングＮｏｄｅＢを選択するための例示的な装置を示す図。
【発明を実施するための形態】
【００２４】
次に、諸図面を参照して、様々な実施形態について説明する。図面では、全体にわたって、類似の要素を指すために類似の参照符号を使用する。以下の記述では、説明の目的で、１つまたは複数の実施形態の完全な理解を与えるために多数の具体的な詳細を示す。ただし、そのような実施形態は、これらの具体的な詳細なしに実施され得ることは明らかであろう。他の例では、１つまたは複数の実施形態の説明を円滑にするために、よく知られている構造およびデバイスをブロック図の形態で示す。
【００２５】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡネットワークなど、様々なワイヤレス通信ネットワークに使用されることができる。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などのような無線技術を実装することができる。ＵＴＲＡは、広帯域ＣＤＭＡ（Ｗ−ＣＤＭＡ（登録商標））およびローチップレート（ＬＣＲ：Low Chip Rate）を含む。ｃｄｍａ２０００は、ＩＳ−２０００規格、ＩＳ−９５規格、およびＩＳ−８５６規格をカバーする。ＴＤＭＡネットワークは、移動体通信用グローバルシステム（ＧＳＭ）のような無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の組織からの文書に記載されている。ＣＤＭＡ２０００は、「第３世代パートナーシッププロジェクト２」（３ＧＰＰ２）という名称の組織からの文書に記載されている。これらの様々な無線技術および規格は当技術分野で知られている。以下の説明では、簡潔性および明暸性の理由から、国際電気通信連合（ＩＴＵ：International Telecommunication Union）によって３ＧＰＰ規格の下で公表された、Ｗ−ＣＤＭＡ規格およびＬＴＥ規格に関連する用語を使用する。本明細書で説明される技法は、前述した技術および規格のような他の技術に対して適用可能であることが、強調されるべきである。
【００２６】
シングルキャリア変調および周波数領域均等化を利用するシングルキャリア周波数分割多元接続（ＳＣ−ＦＤＭＡ）は、ＯＦＤＭＡシステムと同様の性能および基本的に同一の全体的な複雑さを有する。ＳＣ−ＦＤＭＡ信号は、その固有のシングルキャリア構造ゆえに、より低いピーク対平均電力比（ＰＡＰＲ）を有する。ＳＣ−ＦＤＭＡは、より低いＰＡＰＲが送信電力の効率の観点でモバイル端末に利益をもたらすアップリンク通信に特に有用であり得る。ＳＣ−ＦＤＭＡは、３ＧＰＰ  ＬＴＥまたはＥｖｏｌｖｅｄ  ＵＴＲＡにおいてアップリンク多元接続に使用される。
【００２７】
図１を参照すると、一実施形態による多元接続ワイヤレス通信システムが示されている。アクセスポイント１００（たとえば、基地局、ｅｖｏｌｖｅｄ  ＮｏｄｅＢ（ｅＮＢ）、セルなど）は複数のアンテナグループを含み、１つのアンテナグループは１０４および１０６を含み、別のアンテナグループは１０８および１１０を含み、追加のアンテナグループは１１２および１１４を含む。本明細書で使用されるとき、「ＮｏｄｅＢ」は、概して、ｅＮＢおよび他の基地局またはセルを含むように使用され、ワイヤレス通信システムで使われるいずれか特定の種類のワイヤレスアクセスポイントを除外するものではない。図１では、各アンテナグループについて２つのアンテナが示されているが、各アンテナグループに、より多数のまたは少数のアンテナが利用され得る。モバイルエンティティ（ＭＥ）１１６は、アンテナ１１２および１１４と通信しており、アンテナ１１２および１１４は、順方向リンク１２０を通じて情報をモバイルエンティティ１１６に送信し、逆方向リンク１１８を通じてモバイルエンティティ１１６から情報を受信する。モバイルエンティティ１２２は、アンテナ１０４および１０６と通信しており、アンテナ１０４および１０６は、順方向リンク１２６を通じて情報をモバイルエンティティ１２２に送信し、逆方向リンク１２４を通じてモバイルエンティティ１２２から情報を受信する。周波数分割複信（ＦＤＤ）システムでは、通信リンク１１８、１２０、１２４および１２６は、通信のために異なる周波数を使用し得る。たとえば、順方向リンク１２０は、逆方向リンク１１８によって使用される周波数とは異なる周波数を使用し得る。
【００２８】
アンテナの各グループ、および／またはアンテナが通信するように設計されたエリアは、しばしば、アクセスポイントのセクタと呼ばれる。特定の実施形態では、アンテナグループは、それぞれ、アクセスポイント１００によってカバーされるエリアのセクタ内でモバイルエンティティと通信するように設計される。
【００２９】
順方向リンク１２０および１２６上の通信では、アクセスポイント１００の送信アンテナは、異なるモバイルエンティティ１１６および１２２のための順方向リンクの信号対ノイズ比を改善するために、ビームフォーミングを利用し得る。また、アクセスポイントがビームフォーミングを使用して、そのカバレッジ内にランダムに散在したモバイルエンティティに送信するほうが、アクセスポイントが単一のアンテナを通じてそのモバイルエンティティすべてに送信するよりも、隣接セル中のモバイルエンティティへの干渉が小さくなる。
【００３０】
アクセスポイントは、端末との通信に使用される固定局であってもよく、また、アクセスポイント、ＮｏｄｅＢ、ｅＮＢ、または何らかの他の用語で呼ばれることもある。モバイルエンティティは、アクセス端末（ＡＴ）、ユーザ機器（ＵＥ）、移動局、ワイヤレス通信デバイス、端末などとも呼ばれる。
【００３１】
図２は、ＭＩＭＯシステム２００における送信機システム２１０（アクセスポイントとしても知られる）および受信機システム２５０（モバイルエンティティとしても知られる）の実施形態のブロック図である。送信機システム２１０において、いくつかのデータストリームのトラフィックデータが、データソース２１２から送信（ＴＸ）データプロセッサ２１４に供給される。
【００３２】
一実施形態では、各データストリームは、それぞれの送信アンテナを通じて送信される。ＴＸデータプロセッサ２１４は、各データストリームについてのトラフィックデータを、そのデータストリームのために選択された特定の符号化方式に基づいて、フォーマットし、符号化し、インターリーブして、符号化データを提供する。
【００３３】
各データストリームの符号化データは、ＯＦＤＭ技法を使用してパイロットデータとともに多重化され得る。パイロットデータは、通常、既知の方法で処理される既知のデータパターンであり、チャネル応答を推定するために受信機システムにおいて使用され得る。各データストリームの多重化されたパイロットデータおよび符号化データは、次いで、変調シンボルを提供するために、そのデータストリームのために選択された特定の変調方式（たとえば、２相位相変調（ＢＰＳＫ）、４相位相変調（ＱＳＰＫ）、多値位相変調（Ｍ−ＰＳＫ：M-ary Phase-Shift Keying）、または多値直交振幅変調（Ｍ−ＱＡＭ：Multi-Level Quadrature Amplitude Modulation））に基づいて、変調（すなわち、シンボルマッピング）される。各データストリームに関するデータレート、符号化、および変調は、プロセッサ２３０によって実行される命令により決定されることができ、プロセッサ２３０は、本明細書で説明されるような１つまたは複数の方法を実行するために使われ得るような、プログラム命令および／またはデータを保持するメモリ２３２と動作可能に通信することができる。
【００３４】
データストリームの変調シンボルは、次いで、ＴＸ  ＭＩＭＯプロセッサ２２０に与えられ、ＴＸ  ＭＩＭＯプロセッサ２２０は、（たとえば、ＯＦＤＭのために）その変調シンボルをさらに処理することができる。次いで、ＴＸ  ＭＩＭＯプロセッサ２２０は、ＮT個の変調シンボルストリームをＮT個の送信機（ＴＭＴＲ）２２２ａ〜２２２ｔに供給する。いくつかの実施形態では、ＴＸ  ＭＩＭＯプロセッサ２２０は、データストリームのシンボルと、シンボルの送信元であるアンテナとにビームフォーミング重みを適用する。
【００３５】
各送信機２２２は、それぞれのシンボルストリームを受信し、処理して、１つまたは複数のアナログ信号を提供し、さらに、それらのアナログ信号を調整（たとえば、増幅、フィルタ処理、およびアップコンバート）して、ＭＩＭＯチャネルを通じた送信に適した変調信号を与える。次いで、送信機２２２ａ〜２２２ｔからのＮT個の被変調信号が、それぞれＮT個のアンテナ２２４ａ〜２２４ｔから送信される。
【００３６】
受信機システム２５０において、送信された変調信号が、ＮR個のアンテナ２５２ａ〜２５２ｒによって受信され、各アンテナ２５２からの受信信号が、それぞれの受信機（ＲＣＶＲ）２５４ａ〜２５４ｒに提供される。各受信機２５４は、それぞれの受信信号を調整（たとえば、フィルタリング、増幅、およびダウンコンバート）し、調整された信号をデジタル化してサンプルを提供し、それらのサンプルをさらに処理して、対応する「受信」シンボルストリームを提供する。
【００３７】
次いで、ＲＸデータプロセッサ２６０は、ＮR個の受信機２５４からＮR個の受信シンボルストリームを受信し、特定の受信機処理技法に基づいて処理して、ＮT個の「検出された」シンボルストリームを与える。次いで、ＲＸデータプロセッサ２６０は、検出された各シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理と相補的なものである。
【００３８】
プロセッサ２７０は、どのプリコーディング行列を使用すべきかを定期的に決定する。プロセッサ２７０は、行列インデックス部分とランク値部分とを備える逆方向リンクメッセージを構成し、本明細書で説明される１つまたは複数の方法を実行するために使われ得るような、プログラム命令および／またはデータを保持するメモリ２７２と動作可能に通信することができる。
【００３９】
逆方向リンクメッセージは、通信リンクおよび／または受信データストリームに関する様々なタイプの情報を含み得る。逆方向リンクメッセージは、次いで、データソース２３６からのいくつかのデータストリームのトラフィックデータも受信するＴＸデータプロセッサ２３８によって処理され、変調器２８０によって変調され、送信機２５４ａ〜２５４ｒによって調整され、送信機システム２１０に戻される。
【００４０】
送信機システム２１０において、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージを抽出する。次いで、プロセッサ２３０は、ビームフォーミング重みを決定するためにどのプリコーディング行列を使用すべきかを決定し、次いで、抽出されたメッセージを処理する。
【００４１】
図３に、本明細書の教示が実装され得る、何人かのユーザをサポートするように構成されたワイヤレス通信システム３００を示す。システム３００は、たとえば、各セルが対応するアクセスノード３０４（たとえば、アクセスノード３０４ａ〜３０４ｇ）によってサービスされるマクロセル３０２ａ〜３０２ｇのような、複数のセル３０２のための通信を提供する。アクセスノードは、ｅ−ＮｏｄｅＢ（ｅＮＢ）とも呼ばれ、より一般的にはＮｏｄｅＢと呼ばれる。図３に示すように、モバイルエンティティ３０６（たとえば、モバイルエンティティ３０６ａ〜３０６ｌ）は、時間とともにシステム全体にわたって様々な位置に分散し得る。各モバイルエンティティ３０６は、たとえば、モバイルエンティティ３０６がアクティブかどうか、および（可能な場合）モバイルエンティティ３０６がソフトハンドオフ中かどうかに応じて、所与の瞬間に順方向リンク（「ＦＬ」）および／または逆方向リンク（「ＲＬ」）上で１つまたは複数のアクセスノード３０４と通信し得る。ソフトハンドオフは、ソフトハンドオーバーとも呼ばれる。アクセス端末のソフトハンドオフまたはソフトハンドオーバーでは、複数のワイヤレスアクセスポイントは、アクセス端末からのＲＬ信号を受信し処理する。ワイヤレス通信システム３００は、広い地理的領域にわたってサービスを提供することができる。たとえば、マクロセル３０２ａ〜３０２ｇは、都市または郊外では数ブロックの近隣をカバーすることができ、または田舎の環境では数平方マイルをカバーすることができる。
【００４２】
本明細書に記載される諸実施形態の諸態様によれば、モバイルエンティティは、たとえば、ＬＴＥ、ユニバーサル地上波無線アクセスネットワーク（ＵＴＲＡＮ）、ＧＳＭ  ＥＤＧＥ（ＧＳＭ革新のための強化データレート（Enhanced Data rates for GSM Evolution））無線アクセスネットワーク（Radio Access Network）（ＧＥＲＡＮ）、および／またはＣＤＭＡ２０００ネットワークのような、１つまたは複数のネットワークにおいて、最後のサービングセルおよび／または近隣セルの測定結果を報告することができる。報告された測定結果は、無線リンク障害（ＲＬＦ）に関する情報を収集し、ネットワークの展開および調整を最適化するために、ネットワークによって使用されることができる。本明細書では３ＧＰＰ規格の下で公表されたＬＴＥ規格に関連する用語が使用されるが、本明細書で説明される技法は、他の技術および規格にも適用可能であることに、再び留意されたい。
【００４３】
図４は、Ｈｏｍｅ  ＮｏｄｅＢ（ＨＮＢ）とも呼ばれる１つまたは複数のフェムトノードがネットワーク環境内に展開された、例示的な通信システム４００を示す。具体的には、システム４００は、比較的小規模のネットワーク環境中に（たとえば、１つまたは複数のユーザ住居４３０中に）設置された複数のフェムトノード４１０（たとえば、フェムトノード４１０ａおよび４１０ｂ）を含む。各フェムトノード４１０は、ＤＳＬルータ、ケーブルモデム、ワイヤレスリンク、または他の接続手段（図示せず）を通じて、ワイドエリアネットワーク４４０（たとえば、インターネット）とモバイルオペレータコアネットワーク４５０とに結合され得る。各フェムトノード４１０は、関連するモバイルエンティティ４２０ａと、オプションで、外部のモバイルエンティティ４２０ｂとをサービスするように構成され得る。言い換えれば、（１つまたは複数の）フェムトノード４１０へのアクセスは制限されることができ、これにより、所与のモバイルエンティティ４２０は、指定された（たとえば、ホーム）フェムトノードのセットによってサービスされ得るが、指定されていないフェムトノード（たとえば、近隣のフェムトノード）によってはサービスされない。
【００４４】
図５は、いくつかのトラッキングエリア５０２（またはルーティングエリア、またはロケーションエリア）が定義され、その各々がいくつかのマクロカバレッジエリア５０４を含む、カバレッジマップ５００の例を示す。ここで、トラッキングエリア５０２ａ、５０２ｂ、および５０２ｃに関連するカバレッジのエリアは、太線によって示され、マクロカバレッジエリア５０４は六角形によって表される。トラッキングエリア５０２は、フェムトカバレッジエリア５０６も含む。この例では、フェムトカバレッジエリア５０６の各々（たとえば、フェムトカバレッジエリア５０６ｃ）は、マクロカバレッジエリア５０４（たとえば、マクロカバレッジエリア５０４ｂ）内に示されている。ただし、フェムトカバレッジエリア５０６は、完全にマクロカバレッジエリア５０４内にあるとは限らないことを理解されたい。実際には、多数のフェムトカバレッジエリア５０６が、所与のトラッキングエリア５０２またはマクロカバレッジエリア５０４とともに定義され得る。また、１つまたは複数のピコカバレッジエリア（図示せず）が、所与のトラッキングエリア５０２またはマクロカバレッジエリア５０４内で定義され得る。
【００４５】
ＨＮＢを用いるフェムトセル実装は、マクロセルネットワークではさほど重要ではない、新たな技術的な問題と課題を引き起こす。そのような問題および課題は、ＨＮＢと一般的に関連するファクタ、たとえば、訓練を受けたシステム技術者によって設置されるのではなくユーザによって設置されること、無計画な展開、制限された接続、レガシーサポートの制限、およびＮｏｄｅＢ特性の低い均一性に起因しうる。たとえば、ＨＮＢは、不均一な共通パイロットチャネル（ＣＰＩＣＨ）送信電力を一般に有するが、それはマクロセルに使われるアクセスノードには通常は当てはまらない。ＣＰＩＣＨ送信電力の実質的な差は、ソフトハンドオーバー手順の間に問題を引き起こして、モバイルエンティティからの高速専用物理制御チャネル（ＨＳ−ＤＰＣＣＨ）送信の復号問題を引き起こしうる。
【００４６】
図６は、少なくとも２つのＨＮＢ  ６０４および６０６とモバイルエンティティ６０２とを備えるシステム６００において、ソフトハンドオーバー手順の間にアップリンクＨＳ−ＤＰＣＣＨに関する問題が発生し得る状況の一例を示す。モバイルエンティティは、ＣＰＩＣＨ電力がより大きくモバイルエンティティへの経路損失６０８がより大きいサービングＮｏｄｅＢ  ６０４から、高速ダウンロードアクセスパケット（ＨＳＤＰＡ）サービスを受けており、ＣＰＩＣＨ電力がより小さく経路損失６１０がより小さくＨＳＤＰＡサービスを提供していない非サービングＮｏｄｅＢ  ６０６との、ソフトハンドオーバーのプロセス中である。ソフトハンドオーバーの間、モバイルエンティティにおける電力制御は、アクティブノードのいずれかからの送信電力コマンド（ＴＰＣ）が「ＤＯＷＮ」である場合、モバイルエンティティが送信電力を低減することを伴う、「ＯＲ  ｏｆ  ＤＯＷＮ」ルールを用いて制御される。経路損失６１０がより小さいので、非サービングＮｏｄｅＢ  ６０６は、モバイルエンティティの送信電力がサービングＮｏｄｅＢ  ６０４による信頼性のある受信に十分であるかどうかに関わらず、ＤＯＷＮのＴＰＣを発する。したがって、モバイルエンティティ送信電力は、ソフトハンドオーバー中に別のアクセスノードによって望ましくない制限を受け、サービングＮｏｄｅＢ  ６０４のみによって受信される、ＨＳ−ＤＰＣＣＨ上の情報の受信および復号の信頼性の欠如を引き起こすことがある。
【００４７】
したがって、本明細書で説明される実施形態は、ソフトハンドオーバー手順において、ＨＳ−ＤＰＣＣＨの復号の信頼性を向上させるための技法を提示する。３ＧＰＰ規格に関連する例および用語が本明細書では使われるが、本明細書で説明される技法は、他の技術および規格を用いて実装されることができる。いくつかの異なる手法が、以下で詳しく説明される。こうした手法は、個々に、または任意の動作可能な組合せで、通信の問題を解決し、ソフトハンドオーバー手順における高速制御チャネル復号を改善するために使用されることができる。有利なことに、当該技法は、既存の３ＧＰＰ規格に対する変更、またはあらゆる新たな機能ブロックの導入を必要としない。
【００４８】
本明細書で図示および説明される例示的なシステムを考慮すれば、開示する主題に従って実装され得る方法は、様々なフローチャートを参照してより良く理解されよう。説明を簡単にするために、方法を一連の行為／ブロックとして図示および説明するが、いくつかのブロックは、本明細書で図示および説明する順序とは異なる順序で、および／または他のブロックと実質的に同時に行われ得るので、請求する主題はブロックの数または順序によって限定されないことを理解し、諒解されたい。さらに、本明細書で説明する方法を実施するために、図示されたすべてのブロックが必要とされるとは限らない。ブロックに関連する機能は、ソフトウェア、ハードウェア、それらの組合せまたは任意の他の好適な手段（たとえば、デバイス、システム、プロセス、またはコンポーネント）によって実装され得ることを理解されたい。さらに、本明細書の全体にわたって開示する方法は、そのような方法を様々なデバイスに運ぶおよび移すことを容易にするために製品に記憶することが可能であることをさらに理解されたい。方法は、代替的に、状態図のような、一連の相互に関係する状態または事象として表現され得ることを、当業者は理解し諒解するであろう。
【００４９】
アップリンク品質インジケータを用いたＴ２Ｐ電力の引上げ
本技術の一態様は、一般的に、様々なファクタに応じて、ＨＳ−ＤＰＣＣＨ送信のトラフィック対パイロット（Ｔ２Ｐ）送信電力を直接的に引き上げるものとして説明され得る。ＨＳ−ＤＰＣＣＨのＴ２Ｐについての引上げ量（boosted amount）の一般的な形式は、次式によって与えられ、  
【数１】
0005628444.tif 000002
【００５０】
ここで、Ｑは、セルに関するアップリンク品質インジケータであり、Ｑ１は、ＨＳＤＰＡサービングセルに関するＱを表し、Ｑ２は、モバイルとのソフトハンドオーバー（ＳＨＯ）にあるすべてのセルの中で最小のＱを表す。セルに関するＱは、以下のオプションのうちの１つとして定義され（すべてのセルについて同じオプション）、  
【数２】
0005628444.tif 000003
【００５１】
ここで、経路損失は、モバイルからセルへの経路損失であり、ＲＴＷＰ（または等価的にＩｏもしくはＲｏＴ）は、セルにおいて測定され、ＣＰＩＣＨ送信電力および目標ＲＴＷＰは、セルによって設定される。すべての上記パラメータは、ｄＢで表される。より小さなＱは、より良好なアップリンク品質を示し得る。インジケータＱは、モバイルエンティティ、ＮｏｄｅＢ、またはＲＮＣにおいて計算され得る。ＲＮＣの場合、ＲＮＣは、モバイルとセルの両方から収集される情報に基づいて、各セルに関するＱを計算することができる。
【００５２】
一態様では、引上げ量は、モバイルエンティティからＨＳＤＰＡサービングノードへのアップリンク経路損失と、ソフトハンドオーバーに参加しているすべてのノードの中で最小の経路損失との差として、動的に決定されることができる。代替的に、引上げ量は、ＨＳＤＰＡサービングセルのＣＰＩＣＨ電力と、ソフトハンドオーバーに参加しているすべてのノードの中で最小のＣＰＩＣＨ電力との差として、固定されることもできる。
【００５３】
図７に示される方法７００は、概して、モバイルエンティティの送信電力を制御するために無線ネットワークコントローラまたはアクセスノードにおいて差を決定する際の前述の手法の両方を包含し、図８Ａおよび８Ａは、図７の方法のさらなる態様８００を示す。方法７００は、モバイルエンティティ（たとえばＵＥ）を制御するために、ワイヤレス通信装置、たとえば無線ネットワークコントローラ（ＲＮＣ）またはアクセスノードにおいて実行され得る。方法７００は、７１０において、ワイヤレス通信ネットワークのサービングＮｏｄｅＢとモバイルエンティティとの間のワイヤレスリンクの経路損失がワイヤレスネットワークの非サービングＮｏｄｅＢとモバイルエンティティとの間のワイヤレスリンクの経路損失の最小値を超える量を示す、差を決定することを含み得る。この差は、単に経路損失を示すものであってよく、必ずしもその実際の測定結果ではなくてよい。たとえば、ＲＮＣは、モバイルエンティティによって報告される実際の経路損失の測定結果の代わりに、またはそれに加えて、システムパラメータ、たとえば、ＮｏｄｅＢによって報告されたＣＰＩＣＨ送信電力を使用することができる。サービングＮｏｄｅＢは、ＨＳＤＰＡ  ＮｏｄｅＢであることができ、またはＨＳＤＰＡ  ＮｏｄｅＢを含むことができる。同様に、非サービングＮｏｄｅＢは、ＨＳＤＰＡ  ＮｏｄｅＢであることができ、またはＨＳＤＰＡ  ＮｏｄｅＢを含むことができる。指標となる差を決定することに関するさらなる詳細および変形が、図８Ａおよび図８Ｂに関連して以下で開示される。
【００５４】
方法７００は、７２０において、差に比例して、高速専用物理制御チャネル上でのサービングＮｏｄｅＢへの送信に関するトラフィック対パイロット送信電力オフセットを引き上げるように、モバイルエンティティに命令することを含み得る。そのような命令は、オフセットが正しく決定され命令が適切に実行されると仮定すると、モバイルエンティティに、サービングＮｏｄｅＢによる信頼性のある受信および復号を可能にするのに十分に、サービングＮｏｄｅＢへのＨＳ−ＤＰＣＣＨ送信に使われる電力を引き上げさせる。
【００５５】
図８Ａ〜図８Ｃを参照すると、互いに代替的に、または任意の動作可能な組合せで実行され得る、差を決定するためのいくつかの動作が示される。図８Ａに示される一実施形態では、差を決定することは、８１０において、サービングＮｏｄｅＢとモバイルエンティティとの間の経路損失を、非サービングＮｏｄｅＢとモバイルエンティティとの間の１つまたは複数の経路損失の最小値と比較することを含み得る。差の決定に使われる経路損失を示す情報は、モバイルエンティティによって報告される、測定された経路損失であることができる。代替的に、または追加的に、差を決定することは、８２０において、ワイヤレス通信ネットワークのサービングＮｏｄｅＢのＣＰＩＣＨ送信電力を、非サービングＮｏｄｅＢの最小ＣＰＩＣＨ送信電力と比較することを含み得る。より具体的には、サービングＮｏｄｅＢのＣＰＩＣＨ送信電力と、ソフトハンドオーバーの状態にあるすべての非サービングＮｏｄｅＢの最小ＣＰＩＣＨ送信電力との差が、決定され得る。ＣＰＩＣＨ送信電力は、より容易に利用可能であるが不正確な可能性のある経路損失の代用として使われるので、アップリンク経路損失につながると考えられる。
【００５６】
一実施形態では、差を決定することは、前述の８１０または８２０に加えて、またはその代わりに、８３０に示されるように、サービングＮｏｄｅＢからのＲＴＷＰを、非サービングＮｏｄｅＢのうちの１つまたは複数からのＲＴＷＰの最小値と比較することを含み得る。より具体的には、サービングＮｏｄｅＢのＲＴＷＰと、ソフトハンドオフ手順に参加可能な非サービングノードの最小ＲＴＷＰとの間で、差が決定され得る。
【００５７】
図８Ｂに示される追加的なケースでは、差を決定することは、８４０において、サービングＮｏｄｅＢからの経路損失とＲＴＷＰとの集計を、非サービングＮｏｄｅＢの１つまたは複数の間での経路損失とＲＴＷＰとの最小の集計と比較することを含み得る。集計は、たとえば、和、加重和、平均、加重平均、移動平均、比率（quotient）、またはこれらのおよび他の数値集計の様々な組合せを含み得る。さらなる例では、８２０と８４０の組合せで、差を決定することは、サービングＮｏｄｅＢのＲＴＷＰとともに集計されたサービングＮｏｄｅＢのＣＰＩＣＨ送信電力を、非サービングＮｏｄｅＢの１つまたは複数によって報告された、非サービングＮｏｄｅＢの１つまたは複数の間でのＣＰＩＣＨ送信電力とＲＴＷＰとの最小の集計と比較することを含み得る。同様に、差を決定することは、サービングＮｏｄｅＢの目標ＲＴＷＰとともに集計されたサービングＮｏｄｅＢのＣＰＩＣＨ送信電力を、非サービングＮｏｄｅＢの１つまたは複数によって報告された、非サービングＮｏｄｅＢの１つまたは複数の間でのＣＰＩＣＨ送信電力と目標ＲＴＷＰとの最小の集計と比較することを含み得る。
【００５８】
代替的に、または追加的に、図８Ｃを参照すると、差を決定することは、８５０において、サービングＮｏｄｅＢの目標ＲＴＷＰを、非サービングＮｏｄｅＢの１つまたは複数によって報告された目標ＲＴＷＰの最小値と比較することを含み得る。より具体的には、サービングＮｏｄｅＢの目標ＲＴＷＰと、ソフトハンドオフ手順に参加可能な非サービングノードの目標ＲＴＷＰの最小値との間で、差が決定され得る。追加的なケースでは、差を決定することは、８６０において、サービングＮｏｄｅＢ間の経路損失とサービングＮｏｄｅＢの目標ＲＴＷＰとの集計を、非サービングＮｏｄｅＢの１つまたは複数の間での経路損失と目標ＲＴＷＰとの最小の集計と比較することを含み得る。前述のように、集計は、様々な異なる種類の数値的な組合せを含むことができ、その詳細はシステム設計に応じて変化し得る。集計は、図７に関して前述し、図１０に関して後述するように、モバイルエンティティの電力調節に使用される差のファクタに関して説明される様々な値についての所望の程度の影響を許容するように設計され得る。
【００５９】
図９を参照すると、モバイルエンティティの送信電力を制御するために無線ネットワークコントローラまたはアクセスノードにおける差を決定するための、ワイヤレスネットワーク内のＲＮＣもしくはアクセスノードとして、または、コントローラもしくはノード内で使用するためのプロセッサもしくは同様のデバイスとして構成され得る、例示的な装置９００が提供される。装置９００は、プロセッサ、ソフトウェア、またはそれらの組合せ（たとえば、ファームウェア）によって実装される機能を表すことができる、機能ブロックを含み得る。
【００６０】
示されるように、一実施形態では、装置９００は、ワイヤレス通信ネットワークのサービングＮｏｄｅＢとモバイルエンティティとの間のワイヤレスリンクの経路損失がワイヤレスネットワークの非サービングＮｏｄｅＢと該モバイルエンティティとの間のワイヤレスリンクの経路損失の最小値を超える量を示す、差を決定する、電気的コンポーネントまたはモジュール９０２を含み得る。たとえば、電気的コンポーネント９０２は、少なくとも１つの制御プロセッサおよび受信機などを含み得る。コンポーネント９０２は、ワイヤレス通信ネットワークのサービングＮｏｄｅＢとモバイルエンティティとの間のワイヤレスリンクの経路損失が非サービングＮｏｄｅＢとモバイルエンティティとの間のワイヤレスリンクの経路損失の最小値を超える量を示す、差を決定する手段であることができ、または該手段を含むことができる。前記手段は、あるアルゴリズムを動作させるプロセッサコンポーネント９１０を含むことができる。該アルゴリズムは、一適用形態では、たとえば、モバイルエンティティと非サービングＮｏｄｅＢとの間のワイヤレスリンクの経路損失の測定結果を取得し、一連の比較を用いて測定結果の最小値を決定し、モバイルエンティティとサービングＮｏｄｅＢとの間のワイヤレスリンクの経路損失の測定結果を取得し、算術演算を用いて経路損失の最小値と測定値との差を決定することによって、上記の決定することを実行するように、動作することができる。
【００６１】
装置９００は、さらに、差に比例して、サービングＮｏｄｅＢへの高速専用物理制御上での送信に関するトラフィック対パイロット送信電力オフセットを引き上げるように、モバイルエンティティに命令する、電気的コンポーネント９０４を含み得る。たとえば、電気的コンポーネント９０４は、送信機に結合された少なくとも１つの制御プロセッサなどを含み得る。コンポーネント９０４は、差に比例して、サービングＮｏｄｅＢへの高速専用物理制御上での送信に関するトラフィック対パイロット送信電力オフセットを引き上げるようにモバイルエンティティに命令する手段であることができ、または該手段を含むことができる。前記手段は、あるアルゴリズムを動作させるプロセッサコンポーネント９１０を含み得る。該アルゴリズムは、一適用形態では、たとえば、モバイルエンティティが差に比例してトラフィック対パイロット送信電力オフセットを引き上げるべき量を計算し、その量を指定する命令を生成し、その命令をモバイルエンティティに送信することによって、上記の命令することを実行するように、動作することができる。装置９００は、説明を簡単にするために図９には示していない、図８に関連して説明した追加の動作のうちのいずれかまたはすべてを実行するための、同様の電気的コンポーネントを含み得る。
【００６２】
関連する態様では、ネットワークエンティティとして構成された装置９００の場合、該装置９００は、少なくとも１つのプロセッサを有するプロセッサコンポーネント９１０をオプションで含み得る。プロセッサ９１０は、そのような場合、バス９１２または同様の通信結合を通じて、コンポーネント９０２〜９０４または同様のコンポーネントと動作可能に通信し得る。プロセッサ９１０は、電気的コンポーネント９０２〜９０４によって実行されるプロセスまたは機能の開始およびスケジューリングを実施し得る。
【００６３】
他の関連する態様では、装置９００は、無線送受信機コンポーネント９１４を含み得る。送受信機９１４の代わりにまたは送受信機９１４とともに、スタンドアロン受信機および／またはスタンドアロン送信機が使用され得る。装置９００は、たとえば、メモリデバイス／コンポーネント９１６など、情報を記憶するためのコンポーネントをオプションで含み得る。コンピュータ可読媒体またはメモリコンポーネント９１６は、バス９１２などを通じて装置９００の他のコンポーネントに動作可能に結合され得る。メモリコンポーネント９１６は、コンポーネント９０２〜９０４、およびそれらのサブコンポーネント、またはプロセッサ９１０、または本明細書で開示する方法のプロセスおよび動作を実施するための、コンピュータ可読命令およびデータを記憶するように適合され得る。メモリコンポーネント９１６は、コンポーネント９０２〜９０４に関連する機能を実行するための命令を保持し得る。メモリ９１６の外部にあるものとして示されているが、コンポーネント９０２〜９０４は、メモリ９１６内に存在し得ることを理解されたい。
【００６４】
図１０を参照すると、差のパラメータに応じて、モバイルエンティティにおける送信電力を制御するための例示的な方法１０００のコンポーネントが示されている。モバイルエンティティにより実行するための方法１０００は、ＲＮＣ、ＮｏｄｅＢ、またはアクセスノードにより実行するための方法７００に対応するものとして理解され得る。方法１０００は、１０１０において、ワイヤレス通信ネットワークのサービングＮｏｄｅＢとモバイルエンティティとの間のワイヤレスリンクの経路損失がワイヤレスネットワークの非サービングＮｏｄｅＢとモバイルエンティティとの間のワイヤレスリンクの経路損失の最小値を超える量を示す、差を受信することを含み得る。方法１０００は、１０２０において、差に比例して、高速専用物理制御チャネル上でのサービングＮｏｄｅＢへの送信に関するトラフィック対パイロット送信電力オフセットを引き上げることを含み得る。この引上げは、差のファクタの設計、または、差のファクタがどのようにモバイルエンティティにおいて適用されるかの設計によって、ソフトハンドオーバーの間のサービングＮｏｄｅＢにおけるモバイルエンティティからのＨＳ−ＤＰＣＣＨ情報の復号において信頼性のある受信を可能にするように補償するよう、設計されるべきである。
【００６５】
一態様では、方法１０００は、また、１０３０において、サービングＮｏｄｅＢとモバイルエンティティとの間の経路損失と、非サービングＮｏｄｅＢとモバイルエンティティとの間の１つまたは複数の経路損失とを、無線ネットワークコントローラまたは他のノードに報告することを含み得る。ＲＮＣまたは他のノードは、１０２０において、モバイルエンティティによって適用される、差を決定するための報告される情報を使用することができる。別の態様では、方法１０００は、１０４０において、サービングＮｏｄｅＢからのＲＴＷＰと非サービングＮｏｄｅＢの１つまたは複数からのＲＴＷＰとを、差を決定するために無線ネットワークコントローラに報告することを含み得る。
【００６６】
図１１を参照すると、差のパラメータに応じてモバイルエンティティにおいて送信電力を制御するための、ワイヤレスネットワーク中のモバイルエンティティ（たとえば、ユーザ機器またはＵＥ）として、またはモバイルエンティティ内で使用するためのプロセッサもしくは同様のデバイスとして構成され得る、例示的な装置１１００が提供される。装置１１００は、プロセッサ、ソフトウェア、またはそれらの組合せ（たとえば、ファームウェア）によって実装される機能を表し得る、機能ブロックを含むことができる。
【００６７】
示されるように、一実施形態では、装置１１００は、ワイヤレス通信ネットワークのサービングＮｏｄｅＢとモバイルエンティティとの間のワイヤレスリンクの経路損失がワイヤレスネットワークの非サービングＮｏｄｅＢとモバイルエンティティとの間のワイヤレスリンクの経路損失の最小値を超える量を示す、差を受信する、電気的コンポーネントまたはモジュール１１０２を含み得る。たとえば、電気的コンポーネント１１０２は、少なくとも１つの制御プロセッサおよび受信機などを含み得る。コンポーネント１１０２は、ワイヤレス通信ネットワークのサービングＮｏｄｅＢとモバイルエンティティとの間のワイヤレスリンクの経路損失がモバイルエンティティと非サービングＮｏｄｅＢとの間のワイヤレスリンクの経路損失の最小値を超える量を示す、差を受信する手段であることができ、または該手段を含むことができる。前記手段は、アルゴリズムを動作させる少なくとも１つの制御プロセッサを含み得る。該アルゴリズムは、一適用形態では、たとえば、受信されたデータにおいて制御チャネル情報を識別し、制御チャネル情報において量を認識することによって、受信することを実行するように、動作することができる。
【００６８】
装置１１００は、差に比例して、高速専用物理制御チャネル上でのサービングＮｏｄｅＢへの送信に関するトラフィック対パイロット送信電力オフセットを引き上げる、電気的コンポーネント１１０４を含み得る。たとえば、電気的コンポーネント１１０４は、送信機に結合された少なくとも１つの制御プロセッサなどを含み得る。コンポーネント１１０４は、差に比例して、高速専用物理制御チャネル上でのサービングＮｏｄｅＢへの送信のためにトラフィック対パイロット送信電力オフセットを引き上げる手段であることができ、または該手段を含むことができる。前記手段は、アルゴリズムを動作させる少なくとも１つの制御プロセッサを含み得る。該アルゴリズムは、一適用形態では、たとえば、差の量に基づいて増幅係数を計算し、増幅係数を入力として増幅器に与えることによりトラフィック対パイロット送信電力を増幅することによって、引上げを実行するように、動作することができる。
【００６９】
装置１１００は、サービングＮｏｄｅＢとモバイルエンティティとの間の経路損失と、非サービングＮｏｄｅＢとモバイルエンティティとの間の１つまたは複数の経路損失とを、差を決定するために無線ネットワークコントローラに報告する、電気的コンポーネント１１０６を含むことができる。コンポーネント１１０６は、サービングＮｏｄｅＢとモバイルエンティティとの間の経路損失と、非サービングＮｏｄｅＢとモバイルエンティティとの間の１つまたは複数の経路損失とを、差を決定するために無線ネットワークコントローラに報告する手段であることができ、または該手段を含むことができる。前記手段は、アルゴリズムを動作させる少なくとも１つの制御プロセッサを含むことができる。該アルゴリズムは、一適用形態では、たとえば、サービングＮｏｄｅＢからの順方向リンクおよび少なくとも１つの非サービングＮｏｄｅＢからの順方向リンクのそれぞれの経路損失を測定し、それぞれの経路損失を示す値を無線ネットワークコントローラに送信することによって、報告することを実行するように、動作することができる。
【００７０】
代替的に、または追加的に、装置１１００は、サービングＮｏｄｅＢからのＲＴＷＰと非サービングＮｏｄｅＢのうちの１つまたは複数からのＲＴＷＰとを、差を決定するために無線ネットワークコントローラに報告する、電気的コンポーネント１１０８を含むことができる。コンポーネント１１０８は、サービングＮｏｄｅＢからのＲＴＷＰと非サービングＮｏｄｅＢのうちの１つまたは複数からのＲＴＷＰとを、無線ネットワークコントローラに報告する手段であることができ、または該手段を含むことができる。前記手段は、アルゴリズムを動作させる少なくとも１つの制御プロセッサを含み得る。該アルゴリズムは、一適用形態では、たとえば、サービングＮｏｄｅＢおよび少なくとも１つの非サービングＮｏｄｅＢへの逆方向リンクのそれぞれのＲＴＷＰを測定し、逆方向リンクのそれぞれのＲＴＷＰを示す値を無線ネットワークコントローラに与えることによって、報告することを実行するように、動作することができる。
【００７１】
関連する態様では、ネットワークエンティティとして構成された装置１１００の場合、装置１１００は、少なくとも１つのプロセッサを有するプロセッサコンポーネント１１１０をオプションで含み得る。プロセッサ１１１０は、そのような場合、バス１１１２または同様の通信結合を通じて、コンポーネント１１０２〜１１０８または同様のコンポーネントと動作可能に通信し得る。プロセッサ１１１０は、電気的コンポーネント１１０２〜１１０８によって実行されるプロセスまたは機能を、開始およびスケジューリングすることができる。
【００７２】
さらなる関連態様では、装置１１００は、無線送受信機コンポーネント１１１４を含むことができる。送受信機１１１４の代わりに、または送受信機１１１４とともに、スタンドアロン受信機および／またはスタンドアロン送信機が使用されることができる。装置１１００は、たとえば、メモリデバイス／コンポーネント１１１６のような、情報を記憶するコンポーネントをオプションで含み得る。コンピュータ可読媒体またはメモリコンポーネント１１１６は、バス１１１２などを通じて装置１１００の他のコンポーネントに動作可能に結合され得る。メモリコンポーネント１１１６は、コンポーネント１１０２〜１１０８、およびそれらのサブコンポーネント、またはプロセッサ１１１０、または本明細書で開示する方法のプロセスおよび動作を実施するための、コンピュータ可読命令およびデータを記憶するように適合され得る。メモリコンポーネント１１１６は、コンポーネント１１０２〜１１０８に関連する機能を実行するための命令を保持し得る。メモリ１１１６の外部にあるものとして示されているが、コンポーネント１１０２〜１１０８は、メモリ１１１６内に存在し得ることを理解されたい。
【００７３】
非ＨＳＤＰＡサービングノードにおけるＵＬの減衰の追加
ソフトハンドオーバーの間のＨＳ−ＤＰＣＣＨ復号を改善するための別の技法は、非ＨＳＤＰＡサービングノードにおいてアップリンク送信信号の減衰を追加することとして、要約され得る。この方法は、非ＨＳＤＰＡサービングセルにおいて追加の減衰を加えることによって、各セルのアップリンク品質を均等化しようとする。ソフトハンドオーバー（ＳＨＯ）中の各々の非ＨＳＤＰＡサービングセルにおける追加の減衰は、次式で計算されることができ、
【数３】
0005628444.tif 000004
【００７４】
ここで、Ｑはセルに関するアップリンク品質インジケータであり、Ｑ１は、ＨＳＤＰＡサービングセルに関するＱを表し、Ｑ３は、減衰を加えるセルに関するＱを表す。セルに関するＱは、以下のオプションのうちの１つとして定義され（すべてのセルについて同じオプション）、
【数４】
0005628444.tif 000005
【００７５】
ここで、経路損失は、モバイルからセルへの経路損失であり、ＲＴＷＰ（または等価的にＩｏ、またはＲｏＴ）は、セルにおいて測定され、ＣＰＩＣＨ送信電力および目標ＲＴＷＰは、セルによって設定される。上記パラメータは、すべてｄＢである。より小さなＱは、より良好なアップリンク品質を示し得る。インジケータは、モバイルエンティティ、ＮｏｄｅＢ、またはＲＮＣにおいて計算され得る。ＲＮＣの場合、ＲＮＣは、モバイルとセルの両方から収集される情報に基づいて、各セルについてＱを計算することができる。計算された追加の減衰は、たとえばアンテナポートにおいて、アップリンク受信信号を減衰させる減衰器ハードウェアを介して、適用され得る。あるいは、追加の減衰は、以下の関係に従って、対応するユーザのみに関し、アップリンク電力制御アルゴリズムにおいて推定される干渉プラスノイズを修正することによって、適用され得る。
【数５】
0005628444.tif 000006
【００７６】
ここで、
【数６】
0005628444.tif 000007
【００７７】
は、アップリンクにおける対応するユーザに関する、元の推定される干渉プラスノイズであり、
【数７】
0005628444.tif 000008
【００７８】
は、対応するユーザに関する、修正された推定される干渉プラスノイズであり、Ｎｏは、減衰を適用する非サービングノードにおけるノイズフロアであり、［Ａｔｔｅｎ］dBは前に計算されたものである。減衰器ハードウェアを介した適用とは異なり、  
【数８】
0005628444.tif 000009
【００７９】
を修正することによる適用は、ユーザ固有のもので有り得るので、ＨＳ−ＤＰＣＣＨの復号の問題を経験していないノードに対しては、減衰は適用される必要がないことに留意されたい。
【００８０】
一態様では、この手法は、サービングノードではなく非ＨＳＤＰＡサービングノードにおいて追加の減衰を加えることによって、ソフトハンドオーバーに関与する各ノードへの有効経路損失（ＰＬ）を均等化するように設計され得る。たとえば、ソフトハンドオーバー中の各々の非サービングノードにおける追加の減衰は、次式として計算されることができる。
【数９】
0005628444.tif 000010
【００８１】
追加の減衰は、以下の関係に従って、対応するユーザに関して、アップリンク電力制御アルゴリズムにおいて推定される干渉プラスノイズを修正することによって、または減衰器ハードウェアを介して、適用され得る。
【数１０】
0005628444.tif 000011
【００８２】
ここで、
【数１１】
0005628444.tif 000012
【００８３】
は、元の推定される干渉プラスノイズであり、Ｎｏは非サービングセルにおけるノイズフロアであり、［Ａｔｔｅｎ］dBは（１）から得られる。減衰器ハードウェアを介した適用とは異なり、（２）による適用は、ユーザ固有のもので有り得るので、ＨＳ−ＤＰＣＣＨの復号の問題を経験していないノードに対しては、減衰は適用される必要がないことに留意されたい。
【００８４】
以上に従って、図１２は、非サービングＮｏｄｅＢにおける減衰の制御を使用してモバイルエンティティの送信電力を制御するための例示的な方法１２００を示す。方法１２００は、１２１０において、減衰係数を、ゼロと、ワイヤレス通信ネットワークのサービングＮｏｄｅＢのＣＰＩＣＨ送信電力とモバイルエンティティに関わるソフトハンドオーバー手順に参加することが可能な非サービングＮｏｄｅＢのＣＰＩＣＨ送信電力との差と、から選択される最大値として決定することを含み得る。方法１２００は、減衰係数に応じて、非サービングＮｏｄｅＢにおいてモバイルエンティティからの電力を減衰させることを含み得る。
【００８５】
一態様では、方法１２００は、１２３０において示される、減衰器ハードウェアを用いて、すべての入来するワイヤレス信号について、非サービングＮｏｄｅＢにおいて無差別に電力を減衰させることを含み得る。代替的な態様では、方法１２００は、１２４０において、アップリンク電力制御アルゴリズムにおいて推定される干渉プラスノイズを修正することによって、サービングＮｏｄｅＢによってサービスされるモバイルエンティティからのワイヤレス信号について、非サービングＮｏｄｅＢにおいて電力の減衰が実行されることを含み得る。後者の場合には、方法はまた、１２５０において、非サービングＮｏｄｅＢに関するノイズフロアを差し引いた、非サービングＮｏｄｅＢへのモバイルエンティティリンクに関する減衰係数プラスノイズを加算することによって、推定される干渉プラスノイズを修正することを含み得る。
【００８６】
図１３を参照すると、非サービングＮｏｄｅＢにおける減衰の制御を用いてモバイルエンティティの送信電力を制御するための、ワイヤレスネットワーク中のアクセスノードとして、またはアクセスノード内で用いるプロセッサもしくは同様のデバイスとして構成され得る、例示的な装置１３００が提供される。装置１３００は、プロセッサ、ソフトウェア、またはそれらの組合せ（たとえば、ファームウェア）によって実装される機能を表すことができる、機能ブロックを含み得る。
【００８７】
示されるように、一実施形態では、装置１３００は、減衰係数を、ゼロと、ワイヤレス通信ネットワークのサービングＮｏｄｅＢのＣＰＩＣＨ送信電力とモバイルエンティティに関わるソフトハンドオーバー手順に参加することが可能な非サービングＮｏｄｅＢのＣＰＩＣＨ送信電力との差と、から選択される最大値として決定する、電気的コンポーネントまたはモジュール１３０２を含み得る。たとえば、電気的コンポーネント１３０２は、少なくとも１つの制御プロセッサなどを含み得る。コンポーネント１３０２は、減衰係数を、ゼロと、ワイヤレス通信ネットワークのサービングＮｏｄｅＢのＣＰＩＣＨ送信電力とモバイルエンティティに関わるソフトハンドオーバー手順に参加することが可能な非サービングＮｏｄｅＢのＣＰＩＣＨ送信電力との差と、から選択される最大値として決定する手段であることができ、または該手段を含むことができる。前記手段は、アルゴリズムを動作させる少なくとも１つの制御プロセッサを含み得る。該アルゴリズムは、一適用形態では、たとえば、モバイルエンティティに関わるソフトハンドオーバー手順に参加できる非サービングＮｏｄｅＢを識別し（またはそのような非サービングＮｏｄｅＢであると自己を識別し）、ワイヤレス通信ネットワークのサービングＮｏｄｅＢのＣＰＩＣＨ送信電力および非サービングＮｏｄｅＢのＣＰＩＣＨ送信電力の測定結果を取得し、算術演算を用いて差を決定し、比較演算を用いてゼロとその差との最大値を選択することによって、上記の決定することを実行するように動作することができる。
【００８８】
装置１３００は、減衰係数に応じて非サービングＮｏｄｅＢにおいてモバイルエンティティからの電力を減衰する、電気的コンポーネント１３０４を含み得る。たとえば、電気的コンポーネント１３０４は、受信機またはアンテナハードウェアに結合された、少なくとも１つの制御プロセッサを含み得る。コンポーネント１３０４は、減衰係数に応じて、非サービングＮｏｄｅＢにおいてモバイルエンティティからの電力を減衰させる手段であることができ、または該手段を含むことができる。前記手段は、アルゴリズムを動作させる少なくとも１つの制御プロセッサを含み得る。該アルゴリズムは、一適用形態では、たとえば、モバイルエンティティから信号を受信し、減衰係数によって少なくとも一部決定される量だけその信号を減衰させることによって、減衰することを実行するように動作することができる。
【００８９】
装置１３００は、減衰器ハードウェアを用いてすべての入来するワイヤレス信号に関して非サービングＮｏｄｅＢにおいて電力を減衰させる、電気的コンポーネント１３０６を含み得る。コンポーネント１３０６は、減衰器ハードウェアを用いてすべての入来するワイヤレス信号に関して非サービングＮｏｄｅＢにおいて、モバイルエンティティからの電力を減衰させる手段であることができ、または該手段を含むことができる。前記手段は、減衰器ハードウェアに結合される受信機を含むことができ、その結果、受信機により受信されるすべての信号は、減衰器ハードウェアを通過する。
【００９０】
代替的には、装置１３００は、アップリンク電力制御アルゴリズムにおいて、推定される干渉プラスノイズを修正することによって、サービングＮｏｄｅＢによってサービスされるモバイルエンティティからのワイヤレス信号のために、非サービングＮｏｄｅＢにおいて電力を減衰させる、電気的コンポーネント１３０８を含み得る。コンポーネント１３０８は、非サービングＮｏｄｅＢにおいてモバイルエンティティからの電力を減衰させる手段であることができ、または該手段を含むことができる。前記手段は、アルゴリズムを動作させる少なくとも１つの制御プロセッサを含み得る。該アルゴリズムは、一適用形態では、アップリンク電力制御アルゴリズムにおいて、推定される干渉プラスノイズを修正することによって、減衰することを実行するように動作することができる。この場合、装置１３００は、非サービングＮｏｄｅＢに関するノイズフロアを差し引いた、非サービングＮｏｄｅＢへのモバイルエンティティリンクに関する減衰係数プラスノイズを加算することによって、推定される干渉プラスノイズを修正する、電気的コンポーネントまたは手段１３０９を含み得る。
【００９１】
関連する態様では、ネットワークエンティティとして構成された装置１３００の場合、装置１３００は、少なくとも１つのプロセッサを有するプロセッサコンポーネント１３１０をオプションで含み得る。プロセッサ１３１０は、そのような場合、バス１３１２または同様の通信結合を通じて、コンポーネント１３０２〜１３０９または同様のコンポーネントと動作可能に通信し得る。プロセッサ１３１０は、電気的コンポーネント１３０２〜１３０９によって実行されるプロセスまたは機能を、開始およびスケジューリングすることができる。
【００９２】
さらなる関連態様では、装置１３００は、無線送受信機コンポーネント１３１４を含み得る。送受信機１３１４の代わりにまたは送受信機１３１４とともに、スタンドアロン受信機および／またはスタンドアロン送信機が使用され得る。装置１３００は、たとえば、メモリデバイス／コンポーネント１３１６など、情報を記憶するためのコンポーネントをオプションで含み得る。コンピュータ可読媒体またはメモリコンポーネント１３１６は、バス１３１２などを通じて装置１３００の他のコンポーネントに動作可能に結合され得る。メモリコンポーネント１３１６は、コンポーネント１３０２〜１３０９、およびそれらのサブコンポーネント、またはプロセッサ１３１０、または本明細書で開示する方法のプロセスおよび動作を実施するための、コンピュータ可読命令とデータとを記憶するように適合され得る。メモリコンポーネント１３１６は、コンポーネント１３０２〜１３０９に関連する機能を実行するための命令を保持し得る。メモリ１３１６の外部にあるものとして示されているが、コンポーネント１３０２〜１３０８は、メモリ１３１６内に存在し得ることを理解されたい。
【００９３】
非ＨＳＤＰＡノードにおけるＳＩＲ目標の設定
ソフトハンドオーバーの間のＨＳ−ＤＰＣＣＨの復号を改善するためのもう１つの別個の技法は、非ＨＳＤＰＡサービングノードにおいて別個かつより高い信号対干渉（ＳＩＲ）目標を設定することとして、要約される。この技法は、アクティブセット中の各ノードに関して別個のＳＩＲ目標（すなわち、外側ループ電力制御設定点）を維持し、ソフトハンドオフ中の各々の非ＨＳＤＰＡサービングノードに関してＳＩＲ目標を高めることによって、モバイルエンティティ送信電力を増大させるように設計され得る。たとえば、ソフトハンドオフを制御するサービングＲＮＣは、ソフトハンドオフに参加している各々の非ＨＳＤＰＡサービングノードに関するＳＩＲ目標を特定の量だけ高めることができる。この追加の量の一般式は、次式によって与えられ、
【数１２】
0005628444.tif 000013
【００９４】
ここで、Ｑはセルに関するアップリンク品質インジケータであり、Ｑ１は、ＨＳＤＰＡサービングセルに関するＱを表し、Ｑ４は、ＳＩＲ目標を高めるセルに関するＱを表す。セルに関するＱは、以下のオプションのうちの１つとして定義され（すべてのセルについて同じオプション）、
【数１３】
0005628444.tif 000014
【００９５】
ここで、経路損失は、モバイルからセルへの経路損失であり、ＲＴＷＰ（または等価的にＩｏまたはＲｏＴ）は、セルにおいて測定され、ＣＰＩＣＨ送信電力および目標ＲＴＷＰは、セルによって設定される。上記パラメータは、すべてｄＢの単位であり得る。より小さなＱは、より良好なアップリンク品質を示し得る。インジケータは、モバイルエンティティ、ＮｏｄｅＢ、またはＲＮＣにおいて計算され得る。ＲＮＣの場合、ＲＮＣは、モバイルとセルの両方から収集される情報に基づいて、各セルに関するＱを計算することができる。
【００９６】
上記と整合して、図１４は、モバイルエンティティの送信電力を制御するための、無線アクセスコントローラまたはアクセスノードから非サービングＮｏｄｅＢに調整されたＳＩＲ目標を提供するための例示的な方法１４００を示す。方法１４００は、１４１０において、差分経路損失、ＣＰＩＣＨ送信電力、ならびに、モバイルエンティティに関するサービングＮｏｄｅＢおよびサービングＮｏｄｅＢとのソフトハンドオーバー手順に参加することが可能な非サービングＮｏｄｅＢのためのＲＴＷＰ基準のうちの少なくとも１つに基づいて、ＳＩＲ目標調整量係数を決定することを含み得る。方法１４００は、１４２０において、ＳＩＲ目標調整係数に応じて、調整されたＳＩＲ目標を非サービングＮｏｄｅＢに与えることを含み得る。
【００９７】
図１５は、方法１４００のさらなる態様１５００を示す。それぞれのブロックをつなぐ両端矢印により示されるように、各ブロックは互いに独立である。したがって、方法１４００は、任意の動作可能な順序で、ブロック１５００のいずれかまたはすべてを含み得る。１５１０において、方法１４００はさらに、ゼロと、（ａ）モバイルエンティティからの経路損失とワイヤレス通信ネットワークのサービングＮｏｄｅＢに関するＲＴＷＰとの和と（ｂ）モバイルエンティティからの経路損失と非サービングＮｏｄｅＢに関するＲＴＷＰとの和との差と、から選択された最大値として、ＳＩＲ目標調整係数を決定することを含み得る。方法１４００はさらに、１５２０において、ＳＩＲ目標調整係数を、ゼロと、サービングＮｏｄｅＢのＣＰＩＣＨ送信電力と非サービングＮｏｄｅＢのＣＰＩＣＨ送信電力との差とから選択される最大値として決定することを含み得る。方法１４００はさらに、１５３０において、ゼロと、（ａ）モバイルエンティティからの経路損失とサービングＮｏｄｅＢに関する目標ＲＴＷＰとの和と（ｂ）モバイルエンティティからの経路損失と非サービングＮｏｄｅＢに関する目標ＲＴＷＰとの和との差と、から選択された最大値として、ＳＩＲ目標調整係数を決定することを含み得る。方法１４００はさらに、１５４０において、サービングＮｏｄｅＢと非サービングＮｏｄｅＢとの間の目標ＲＴＷＰの差を組み込むように、ＳＩＲ目標調整係数を決定することを含み得る。
【００９８】
図１６を参照すると、モバイルエンティティの送信電力を制御するため、無線アクセスコントローラまたはアクセスノードから非サービングＮｏｄｅＢへと、調整されたＳＩＲ目標を提供するための、ワイヤレスネットワーク中のアクセスノードとして、またはアクセスノード内で使用するためのプロセッサもしくは同様のデバイスとして構成され得る、例示的な装置１６００が提供される。装置１６００は、プロセッサ、ソフトウェア、またはそれらの組合せ（たとえば、ファームウェア）によって実装される機能を表すことができる機能ブロックを含み得る。
【００９９】
一実施形態では、装置１６００は、差分経路損失、ＣＰＩＣＨ送信電力、ならびに、モバイルエンティティに関するサービングＮｏｄｅＢおよびサービングＮｏｄｅＢとのソフトハンドオーバー手順に参加することが可能な非サービングＮｏｄｅＢに関するＲＴＷＰ基準のうちの少なくとも１つに基づいて、ＳＩＲ目標調整量係数を決定する、電気的コンポーネントまたはモジュール１６０２を含み得る。たとえば、電気的コンポーネント１６０２は、受信機に結合された、少なくとも１つの制御プロセッサなどを含み得る。コンポーネント１６０２は、差分経路損失、ＣＰＩＣＨ送信電力、ならびに、モバイルエンティティに関するサービングＮｏｄｅＢおよびサービングＮｏｄｅＢとのソフトハンドオーバー手順に参加することが可能な非サービングＮｏｄｅＢのためのＲＴＷＰ基準のうちの少なくとも１つに基づいて、ＳＩＲ目標調整量係数を決定する手段であることができ、または該手段を含むことができる。前記手段は、アルゴリズムを動作させる少なくとも１つの制御プロセッサを含み得る。該アルゴリズムは、一適用形態では、たとえば、サービングＮｏｄｅＢおよび非サービングＮｏｄｅＢに関する経路損失のそれぞれの測定値、ならびに／またはノードに関する電力基準のそれぞれの測定値を取得し、算術演算を用いてそれぞれの測定値の差を計算し、差分経路損失および／または電力基準と、ＳＩＲ目標またはＳＩＲ目標の差分との間の所定の数値的な関係を用いて、ＳＩＲ目標調整量を計算することによって、上記の決定することを実行するように動作することができる。
【０１００】
装置１６００は、ＳＩＲ目標調整係数に応じて、調整されたＳＩＲ目標を非サービングＮｏｄｅＢに提供する、電気的コンポーネント１６０４を含み得る。たとえば、電気的コンポーネント１６０４は、送信機に結合された少なくとも１つの制御プロセッサを含み得る。コンポーネント１６０４は、ＳＩＲ目標調整係数に応じて、調整されたＳＩＲ目標を非サービングＮｏｄｅＢに提供する手段であることができ、または該手段を含むことができる。前記手段は、アルゴリズムを動作させる少なくとも１つの制御プロセッサを含み得る。アルゴリズムは、一適用形態では、たとえば、記憶されたＳＩＲ目標を取り出し、ＳＩＲ目標調整係数を使用して、記憶されたＳＩＲ目標に操作を行って調整されたＳＩＲ目標を取得し、調整されたＳＩＲ目標を非サービングＮｏｄｅＢに送信することによって、上記の提供することを実行するように、動作することができる。装置１６００は、説明を簡単にするために図１６には示していない、図１５に関連して記載された追加の操作のいずれかまたはすべてを実行するための、同様の電気的コンポーネントを含み得る。
【０１０１】
関連する態様では、ネットワークエンティティとして構成された装置１６００の場合、装置１６００は、少なくとも１つのプロセッサを有するプロセッサコンポーネント１６１０をオプションで含み得る。プロセッサ１６１０は、そのような場合、バス１６１２または同様の通信結合を通じて、コンポーネント１６０２〜１６０４または同様のコンポーネントと動作可能に通信し得る。プロセッサ１６１０は、電気的コンポーネント１６０２〜１６０４によって実行されるプロセスまたは機能を、開始およびスケジューリングすることができる。
【０１０２】
さらなる関連態様では、装置１６００は、無線送受信機コンポーネント１６１４を含み得る。送受信機１６１４の代わりにまたは送受信機１６１４とともに、スタンドアロン受信機および／またはスタンドアロン送信機が使用され得る。装置１６００は、たとえば、メモリデバイス／コンポーネント１６１６など、情報を記憶するためのコンポーネントをオプションで含み得る。コンピュータ可読媒体またはメモリコンポーネント１６１６は、バス１６１２などを通じて装置１６００の他のコンポーネントに動作可能に結合され得る。メモリコンポーネント１６１６は、コンポーネント１６０２〜１６０４、およびそれらのサブコンポーネント、またはプロセッサ１６１０、または本明細書で開示する方法のプロセスおよび動作を実施するための、コンピュータ可読命令およびデータを記憶するように適合され得る。メモリコンポーネント１６１６は、コンポーネント１６０２〜１６０４に関連する機能を実行するための命令を保持し得る。メモリ１６１６の外部にあるものとして示されているが、コンポーネント１６０２〜１６０８は、メモリ１６１６内に存在し得ることを理解されたい。
【０１０３】
図１７は、モバイルエンティティの送信電力を制御するために、非サービングＮｏｄｅＢにおいて、無線アクセスコントローラまたはアクセスノードからの調整されたＳＩＲ目標を用いるための例示的な方法１７００を示す。方法１７００は、対照的にＲＮＣまたはサービングノードによって実行され得る方法１４００に対応する、非サービングＮｏｄｅＢによる方法として理解され得る。方法１７００は、１７１０において、差分経路損失、ＣＰＩＣＨ送信電力、ならびに、モバイルエンティティに関するサービングＮｏｄｅＢおよびサービングＮｏｄｅＢとのソフトハンドオーバー手順に参加することが可能な非サービングＮｏｄｅＢに関するＲＴＷＰ基準のうちの少なくとも１つに基づいて、ＳＩＲ目標調整量係数を受信することを含み得る。方法１７００は、１７２０において、ＳＩＲ目標調整係数に従って、非サービングＮｏｄｅＢ上でＳＩＲ目標を調整することを含み得る。方法１７００は、追加的に、１７３０において、ＳＩＲ目標調整係数を決定するために、非サービングＮｏｄｅＢのＣＰＩＣＨ送信電力をＲＮＣに提供することを含み得る。方法１７００は、追加的に、１７４０において、ＳＩＲ目標調整係数によって調整されたＳＩＲ目標をモバイルエンティティに提供することを含み得る。提供する操作１７４０および１７４０は、方法１７００にとってオプションである。
【０１０４】
図１８を参照すると、モバイルエンティティの送信電力を制御するため、非サービングＮｏｄｅＢにおいて無線アクセスコントローラまたはアクセスノードからの調整されたＳＩＲ目標を使用するための、ワイヤレスネットワーク中のアクセスノードとして、または、アクセスノード内で使うためのプロセッサもしくは同様のデバイスとして構成され得る、例示的な装置１８００が提供される。装置１８００は、プロセッサ、ソフトウェア、またはそれらの組合せ（たとえば、ファームウェア）によって実装される機能を表すことができる機能ブロックを含み得る。
【０１０５】
一実施形態では、装置１８００は、差分経路損失、ＣＰＩＣＨ送信電力、ならびに、モバイルエンティティに関するサービングＮｏｄｅＢおよびサービングＮｏｄｅＢとのソフトハンドオーバー手順に参加することが可能な非サービングＮｏｄｅＢに関するＲＴＷＰ基準のうちの少なくとも１つに基づいて、ＳＩＲ目標調整量係数を受信する、電気的コンポーネントまたはモジュール１８０２を含み得る。たとえば、電気的コンポーネント１８０２は、受信機に結合された、少なくとも１つの制御プロセッサなどを含み得る。コンポーネント１８０２は、差分経路損失、ＣＰＩＣＨ送信電力、ならびに、モバイルエンティティに関するサービングＮｏｄｅＢおよびサービングＮｏｄｅＢとのソフトハンドオーバー手順に参加することが可能な非サービングＮｏｄｅＢのためのＲＴＷＰ基準のうちの少なくとも１つに基づいて、ＳＩＲ目標調整量係数を受信する手段であることができ、または該手段を含むことができる。前記手段は、アルゴリズムを動作させる少なくとも１つの制御プロセッサを含み得る。該アルゴリズムは、一適用形態では、たとえば、ＲＮＣからの制御チャネルを監視し、制御チャネルにおいて送信される情報中でＳＩＲ目標調整量を認識することによって、上記の受信することを実行するように動作することができる。ＲＮＣは、差分経路損失、ＣＰＩＣＨ送信電力、ならびに、モバイルエンティティに関するサービングＮｏｄｅＢおよび非サービングＮｏｄｅＢに関するＲＴＷＰ基準のうちの少なくとも１つに基づいて、ＳＩＲ目標を決定することができる。該適用形態は、非サービングＮｏｄｅＢに対して機能し得る。
【０１０６】
装置１８００は、ＳＩＲ目標調整係数に従って、非サービングＮｏｄｅＢ上でＳＩＲ目標を調整する、電気的コンポーネント１８０４を含み得る。たとえば、電気的コンポーネント１８０４は、メモリに結合された少なくとも１つの制御プロセッサを含み得る。コンポーネント１８０４は、ＳＩＲ目標調整係数に従って、非サービングＮｏｄｅＢ上でのＳＩＲ目標を調整する手段であることができ、または該手段を含むことができる。前記手段は、アルゴリズムを動作させる少なくとも１つの制御プロセッサを含み得る。該アルゴリズムは、一適用形態では、たとえば、ＳＩＲ目標調整係数を用い算術演算を実行して調整されたＳＩＲ目標を取得し、次いで調整されたＳＩＲ目標を、送信電力を調節する際に使われる変数として記憶して、目標のＳＩＲを達成することによって、上記の調整することを実行するように動作することができる。
【０１０７】
装置１８００は、ＳＩＲ目標調整係数を決定するために、非サービングＮｏｄｅＢのＣＰＩＣＨ送信電力をＲＮＣに提供する、電気的コンポーネント１８０６を含み得る。コンポーネント１８０６は、ＳＩＲ目標調整係数を決定するために、非サービングＮｏｄｅＢのＣＰＩＣＨ送信電力をＲＮＣに提供する手段であることができ、または該手段を含むことができる。前記手段は、アルゴリズムを動作させる少なくとも１つの制御プロセッサを含み得る。該アルゴリズムは、一適用形態では、たとえば、ＣＰＩＣＨ送信電力の測定または決定を取得し、ＣＰＩＣＨ送信電力のインジケーションをＲＮＣに送信することによって、上記の提供することを実行するように動作することができる。
【０１０８】
装置１８００は、ＳＩＲ目標調整係数によって調整されたＳＩＲ目標をモバイルエンティティに提供する、電気的コンポーネント１８０８を含み得る。コンポーネント１８０８は、ＳＩＲ目標調整係数によって調整されたＳＩＲ目標をモバイルエンティティに提供する手段であることができ、または該手段を含むことができる。前記手段は、アルゴリズムを動作させる少なくとも１つの制御プロセッサを含み得る。該アルゴリズムは、一適用形態では、たとえば、記憶されたまたは計算された、調整されたＳＩＲ目標をメモリから取り出し、調整された目標をモバイルエンティティに送信することによって、上記の提供することを実行するように動作することができる。
【０１０９】
関連態様では、ネットワークエンティティとして構成された装置１８００の場合、装置１８００は、少なくとも１つのプロセッサを有するプロセッサコンポーネント１８１０をオプションで含み得る。プロセッサ１８１０は、そのような場合、バス１８１２または同様の通信結合を通じて、コンポーネント１８０２〜１８０８または同様のコンポーネントと動作可能に通信し得る。プロセッサ１８１０は、電気的コンポーネント１８０２〜１８０８によって実行されるプロセスまたは機能を、開始およびスケジューリングすることができる。
【０１１０】
さらなる関連態様では、装置１８００は、無線送受信機コンポーネント１８１４を含み得る。送受信機１８１４の代わりにまたは送受信機１８１４とともに、スタンドアロン受信機および／またはスタンドアロン送信機が使用され得る。装置１８００は、たとえば、メモリデバイス／コンポーネント１８１６など、情報を記憶するためのコンポーネントをオプションで含み得る。コンピュータ可読媒体またはメモリコンポーネント１８１６は、バス１８１２などを通じて装置１８００の他のコンポーネントに動作可能に結合され得る。メモリコンポーネント１８１６は、コンポーネント１８０２〜１８０８、およびそれらのサブコンポーネント、またはプロセッサ１８１０、または本明細書で開示する方法のプロセスおよび動作を実施するための、コンピュータ可読命令およびデータを記憶するように適合され得る。メモリコンポーネント１８１６は、コンポーネント１８０２〜１８０８に関連する機能を実行するための命令を保持し得る。メモリ１８１６の外部にあるものとして示されているが、コンポーネント１８０２〜１８０８は、メモリ１８１６内に存在し得ることを理解されたい。
【０１１１】
改良されたＨＳＤＰＡサービングノード選択
ソフトハンドオーバーの間のＨＳ−ＤＰＣＣＨの復号を改善するための、さらなる別個の技法は、改良されたＨＳＤＰＡサービングノード選択として要約される。この方法は、ＨＳＤＰＡサービングセルの選択の際に、ダウンリンク品質のみを考慮するのではなく、アップリンク品質を考慮する。まず、ＨＳＤＰＡサービングセルに関する候補セルが、次のように定義され、  
【数１４】
0005628444.tif 000015
【０１１２】
これは、ソフトハンドオーバー（ＳＨＯ）中のセルが、最良のダウンリンク（ＤＬ）セルよりもＸｄＢ低いダウンリンク（ＤＬ）Ｅｃｐ／Ｉｏしか最大でも有さないが、最良のＤＬセルよりもＹｄＢ小さいＱを少なくとも有する場合、候補になることを意味しており、ここで、Ｑはセルに関するアップリンク品質インジケータであり、以下のオプションのうちの１つとして定義され（すべてのセルについて同じオプション）、
【数１５】
0005628444.tif 000016
【０１１３】
ここで、経路損失は、モバイルからセルへの経路損失であり、ＲＴＷＰ（または等価的にＩｏまたはＲｏＴ）は、セルにおいて測定され、ＣＰＩＣＨ送信電力および目標ＲＴＷＰは、セルによって設定される。上記パラメータは、すべてｄＢの単位であり得る。より小さなＱは、より良好なアップリンク／逆方向リンク品質を示し得る。Ｑは、モバイルエンティティ、ＮｏｄｅＢ、またはＲＮＣにおいて計算され得る。ＲＮＣの場合、ＲＮＣは、モバイルとセルの両方から収集される情報に基づいて、各セルについてＱを計算する。また、この候補セルは、閾値Ｚよりも大きなＨＳＤＰＡ電力リソースを有さなければならない。電力リソースは、ＨＳＤＰＡに割り当てられた総電力を、現在サービスされているＨＳＤＰＡユーザの数により除算したものとして計算され得る。最良のＤＬセルの代わりに、ＨＳＤＰＡサービングセルは、最大の電力リソース、最大のＤＬ  Ｅｃｐ／Ｉｏ、または最小のＱを有する上記で定義された候補セルとして選択され得る。候補セルが存在しない場合、最良のＤＬセルが、ＨＳＤＰＡサービングセルとして依然として使用され得る。
【０１１４】
一態様では、改良されたＨＳＤＰＡサービングノード選択は、ＨＳＤＰＡサービングノードの選択において経路損失情報を利用して、モバイルエンティティに関するサービングノードとしてより近いノードを選択するように設計され得る。最良のダウンリンクノードの代わりに、ＨＳＤＰＡサービングノードは、たとえば、最良のダウンリンクノードよりも「Ｘ」ｄＢ低いダウンリンクＥｃｐ／Ｉｏしか最大でも有さないが最良のダウンリンクノードよりも「Ｙ」ｄＢ小さい経路損失を少なくとも有するノードとして、選択され得る。たとえば、ＨＳＤＰＡサービングノードは、アクティブセット中の最良ではないノードであるが、最良のノードよりも１０ｄＢ小さい経路損失を少なくとも有するノードであることができ、その結果、ダウンリンクの小さな信号対ノイズ劣化と引き換えに、アップリンクのフィードバック品質が大きく改善されて、モバイルエンティティの送信電力を低減し、したがって近隣のノードへの干渉を低減する。加えて、ＨＳ−ＤＰＣＣＨ  Ｔ２Ｐを引き上げることに比べると、今やサービングノードがより近いノードとなり、したがって本質的にアップリンク電力制御を決定するので、ＨＳＤＰＡサービングノードにおける受信されたＨＳ−ＤＰＣＣＨ電力は、より安定的となる。
【０１１５】
経路損失のほかに、ＨＳＤＰＡサービングノード選択は、ダウンリンクＥｃｐ／Ｉｏ、ダウンリンク負荷、およびアップリンクＲＴＷＰ（または等価的にＩｏ、ＲｏＴ）も考慮することによって、さらに改良され得る。たとえば、候補のＨＳＤＰＡサービングノードは、最良のダウンリンクＮｏｄｅＢよりも「Ｘ」ｄＢ低いダウンリンクＥｃｐ／Ｉｏしか最大でも有さないが最良のダウンリンクノードよりも「Ｙ」ｄＢ小さい経路損失＋ＲＴＷＰを少なくとも有するノードとして定義され得る。上述の例では、「Ｘ」および「Ｙ」の値は、様々な条件下で効果的なサービングノード選択を実現するように選択され得る。たとえば、はじめにＸ＝３およびＹ＝１０が選択され、条件に基づいてさらに最適化されることができる。
【０１１６】
代替的に、または追加的に、ＨＳＤＰＡサービングノードは、最大の電力リソースを有する候補ノードとして選択されることができ、それは、ＨＳＤＰＡに割り当てられた総電力を、現在サービスされているＨＳＤＰＡユーザの数で除算したものとして計算され得る。また、各候補ノードの電力リソースは、特定の閾値よりも大きくなければならない。そのような候補ノードが存在しない場合、最良のダウンリンクノードが、依然としてＨＳＤＰＡサービングノードとして使用され得る。
【０１１７】
上記と整合して、図１９は、ソフトハンドオーバーの間の専用物理制御チャネルの復号問題を最小限に抑えるまたは回避するようにサービングＮｏｄｅＢを選択するための例示的な方法１９００を示す。方法１９００は、１９０２において、モバイルエンティティにおける総受信パワースペクトル密度に対するパイロットエネルギーのダウンリンク比（Ｅｃｐ／Ｉｏ）と、少なくとも１つの二次的な基準とを、ワイヤレスネットワークの複数のＮｏｄｅＢの各々について決定することを含み得る。方法１９００は、さらに、１９２０において、複数のＮｏｄｅＢについてＥｃｐ／Ｉｏの最大値を決定することを含み得る。方法１９００は、さらに、１９３０において、（ａ）選択されたＮｏｄｅＢが最大のＥｃｐ／Ｉｏよりも定義された量だけ少ないものを上回らないＥｃｐ／Ｉｏを有し、（ｂ）選択されたＮｏｄｅＢが二次的な基準に従って最大のＥｃｐ／Ｉｏを有するＮｏｄｅＢよりも高くランク付けられるように、モバイルエンティティに関するサービングＮｏｄｅＢとして、複数のＮｏｄｅＢから１つのＮｏｄｅＢを選択することを含み得る。
【０１１８】
図２０は、方法１９００のさらなる態様２０００を示す。それぞれのブロックをつなぐ両端矢印により示されるように、各ブロックは互いに独立である。したがって、方法１９００は、任意の動作可能な順序で、ブロック２０００のうちのいずれかまたはすべてを含み得る。ブロック１９１０および１９３０において言及される二次的な基準は、ダウンリンク負荷を含み得る。そのような場合、２０１０において示されるように、方法１９００はさらに、選択されたＮｏｄｅＢに関するダウンリンク負荷が最大のＥｃｐ／Ｉｏを有するＮｏｄｅＢに関するダウンリンク負荷よりも小さいことに応答して、選択されたＮｏｄｅＢをより高くランク付けることを含み得る。代替的に、または追加的に、二次的な基準はアップリンク経路損失を含み得る。そのような場合、方法１９００はさらに、２０２０において、選択されたＮｏｄｅＢに関するアップリンク経路損失が最大のＥｃｐ／Ｉｏを有するＮｏｄｅＢに関するアップリンク経路損失よりも小さいことに応答して、選択されたＮｏｄｅＢをより高くランク付けることを含み得る。代替的に、または追加的に、二次的な基準はアップリンクパワースペクトル密度を含み得る。そのような場合、方法１９００はさらに、２０３０において、選択されたＮｏｄｅＢに関するアップリンクパワースペクトル密度が、最大のＥｃｐ／Ｉｏを有するＮｏｄｅＢに関するアップリンクパワースペクトル密度よりも小さいことに応答して、選択されたＮｏｄｅＢをより高くランク付けることを含み得る。代替的に、または追加的に、二次的な基準は、前述の電力リソースを含み得る。そのような場合、方法１９００はさらに、２０４０において、選択されたＮｏｄｅＢに関する電力リソースが最大のＥｃｐ／Ｉｏを有するＮｏｄｅＢに関する電力リソースよりも大きいことに応答して、選択されたＮｏｄｅＢをより高くランク付けることを含み得る。
【０１１９】
別の実施形態では、二次的な基準は、アップリンク経路損失とアップリンクパワースペクトル密度の和、または他の集計を含み得る。そのような場合、方法１９００は、２０５０において、選択されたＮｏｄｅＢに関するアップリンク経路損失およびアップリンクパワースペクトル密度の和（または他の集計）が最大のＥｃｐ／Ｉｏを有するＮｏｄｅＢに関するアップリンク経路損失およびアップリンクパワースペクトル密度の和（または他の集計）よりも小さいことに応答して、選択されたＮｏｄｅＢをより高くランク付けることを含み得る。
【０１２０】
図２１を参照すると、ソフトハンドオーバーの間の専用物理制御チャネルの復号問題を最小限に抑えるまたは回避するようにサービングＮｏｄｅＢを選択するための、ワイヤレスネットワーク中のＲＮＣまたはアクセスノードとして、または、ＲＮＣ内で使うためのプロセッサもしくは同様のデバイスとして構成され得る、例示的な装置２１００が提供される。装置２１００は、プロセッサ、ソフトウェア、またはそれらの組合せ（たとえば、ファームウェア）によって実装される機能を表すことができる機能ブロックを含み得る。
【０１２１】
一実施形態では、装置２１００は、モバイルエンティティにおける総受信パワースペクトル密度に対するパイロットエネルギーのダウンリンク比（Ｅｃｐ／Ｉｏ）と、少なくとも１つの二次的な基準とを、ワイヤレスネットワークの複数のＮｏｄｅＢの各々について決定する、電気的コンポーネントまたはモジュール２１０２を含み得る。たとえば、電気的コンポーネント２１０２は、受信機に結合された、少なくとも１つの制御プロセッサなどを含み得る。コンポーネント２１０２は、モバイルエンティティにおけるダウンリンクＥｃｐ／Ｉｏと少なくとも１つの二次的な基準とを、複数のＮｏｄｅＢの各々について決定する手段であることができ、または該手段を含むことができる。前記手段は、アルゴリズムを動作させる少なくとも１つの制御プロセッサを含み得る。該アルゴリズムは、一適用形態では、たとえば、複数のＮｏｄｅＢの各々について、ダウンリンクＥｃｐの測定値を取得し、ダウンリンクＩｏの測定値を取得し、測定値の比を計算し、少なくとも１つの二次的な基準を取得することによって、上記の提供することを実行するように、動作することができる。少なくとも１つの二次的な基準は、ダウンリンク負荷、アップリンク経路損失、電力リソース、またはアップリンクパワースペクトル密度であることができ、またはこれらを含むことができる。
【０１２２】
装置２１００は、複数のＮｏｄｅＢについてＥｃｐ／Ｉｏの最大値を決定する、電気的コンポーネント２１０４を含み得る。たとえば、電気的コンポーネント２１０４は、少なくとも１つの制御プロセッサを含み得る。コンポーネント２１０４は、複数のＮｏｄｅＢについてＥｃｐ／Ｉｏの最大値を決定する手段であることができ、または該手段を含むことができる。前記手段は、アルゴリズムを動作させる少なくとも１つの制御プロセッサを含み得る。該アルゴリズムは、一適用形態では、たとえば、Ｅｃｐ／Ｉｏ値のセットに対して行われる比較シーケンスを用いることで、上記の決定することを実行するように、動作することができる。
【０１２３】
装置２１００は、（ａ）選択されたＮｏｄｅＢが最大のＥｃｐ／Ｉｏよりも定義された量だけ少ないものを上回らないＥｃｐ／Ｉｏを有し、（ｂ）選択されたＮｏｄｅＢが二次的な基準に従って最大のＥｃｐ／Ｉｏを有するＮｏｄｅＢよりも高くランク付けられるように、モバイルエンティティに関するサービングＮｏｄｅＢとして、複数のＮｏｄｅＢから１つのＮｏｄｅＢを選択する、電気的コンポーネント２１０６を含み得る。コンポーネント２１０２は、（ａ）選択されたＮｏｄｅＢが最大のＥｃｐ／Ｉｏよりも定義された量だけ少ないものを上回らないＥｃｐ／Ｉｏを有し、（ｂ）選択されたＮｏｄｅＢが二次的な基準に従って最大のＥｃｐ／Ｉｏを有するＮｏｄｅＢよりも高くランク付けられるように、モバイルエンティティに関するサービングＮｏｄｅＢとして、複数のＮｏｄｅＢから１つのＮｏｄｅＢを選択する手段であることができ、または該手段を含むことができる。前記手段は、アルゴリズムを動作させる少なくとも１つの制御プロセッサを含み得る。該アルゴリズムは、一適用形態では、たとえば、ＮｏｄｅＢの利用可能なセットの各々に関してＥｃｐ／Ｉｏ比を決定しまたは前に決定された記憶された比の値を復元し、各々のＥｃｐ／Ｉｏ比を記憶された最大のＥｃｐ／Ｉｏのと比較して閾値を超える場合にはＮｏｄｅＢを候補リストから除外し、二次的な基準に基づいて残りの候補をランク付けし、リスト中で最も高くランク付けられた候補を選択することによって、上記の選択することを実行するように、動作することができる。装置２１００は、説明を簡単にするために図２１には示していない、図２０に関連して説明した追加的な動作のうちのいずれかまたはすべてを実行するための、同様の電気的コンポーネントを含み得る。
【０１２４】
関連する態様では、ネットワークエンティティとして構成された装置２１００の場合、装置２１００は、少なくとも１つのプロセッサを有するプロセッサコンポーネント２１１０をオプションで含み得る。プロセッサ２１１０は、そのような場合、バス２１１２または同様の通信結合を通じて、コンポーネント２１０２〜２１０６または同様のコンポーネントと動作可能に通信し得る。プロセッサ２１１０は、電気的コンポーネント２１０２〜２１０６によって実行されるプロセスまたは機能を開始およびスケジューリングすることができる。
【０１２５】
さらなる関連態様では、装置２１００は、無線送受信機コンポーネント２１１４を含み得る。送受信機２１１４の代わりにまたは送受信機２１１４とともに、スタンドアロン受信機および／またはスタンドアロン送信機が使用され得る。装置２１００は、たとえば、メモリデバイス／コンポーネント２１１６など、情報を記憶するコンポーネントをオプションで含み得る。コンピュータ可読媒体またはメモリコンポーネント２１１６は、バス２１１２などを通じて装置２１００の他のコンポーネントに動作可能に結合され得る。メモリコンポーネント２１１６は、コンポーネント２１０２〜２１０６、およびそれらのサブコンポーネント、またはプロセッサ２１１０、または本明細書で開示する方法のプロセスおよび動作を実施するための、コンピュータ可読命令およびデータを記憶するように適合され得る。メモリコンポーネント２１１６は、コンポーネント２１０２〜２１０６に関連する機能を実行するための命令を保持し得る。メモリ２１１６の外部にあるものとして示されているが、コンポーネント２１０２〜２１０６は、メモリ２１１６内に存在し得ることを理解されたい。
【０１２６】
開示したプロセスにおけるステップの具体的な順序または階層は、例示的な手法の一例であることを理解されたい。設計の選好に基づいて、プロセス中のステップの具体的な順序または階層は、本開示の範囲内のまま再構成され得ることを理解されたい。添付の方法クレームは、様々なステップの要素を例示的な順序で提示したものであり、提示された特定の順序または階層に限定されるものではない。
【０１２７】
情報および信号は、様々な異なる技術および技法のいずれかを使用して表せることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１２８】
さらに、本明細書で開示した実施形態に関して説明した様々な例示的な論理ブロック、モジュール、回路、およびアルゴリズムステップは、電気的ハードウェア、コンピュータソフトウェア、または両方の組合せとして実装できることが当業者には理解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明した機能を具体的な適用例ごとに様々な方法で実装することができるが、そのような実装の決定は、本開示の範囲からの逸脱を生じるものと解釈すべきではない。
【０１２９】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲート論理回路もしくはトランジスタ論理回路、個別ハードウェアコンポーネント、または本明細書で説明する機能を実行するように設計されたそれらの任意の組合せを用いて、実装または実行され得る。汎用プロセッサはマイクロプロセッサであってよいが、代替として、プロセッサは、任意の従来のプロセッサ、コントローラ、マイクロコントローラ、または状態機械であってもよい。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１３０】
１つまたは複数の例示的な実施形態では、説明した機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を通じて送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体でよい。限定ではなく例として、そのような非一時的コンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送または記憶するために使用でき、コンピュータによってアクセスできる任意の他の媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に符号化し、ディスク（disc）は、データを光学的に符号化する。上記の組合せも非一時的コンピュータ可読媒体の範囲内に含めるべきである。
【０１３１】
開示する実施形態の前述の説明は、当業者が本開示を実施または使用できるようにするために与えたものである。これらの実施形態への様々な修正は当業者には容易に明らかであり、本明細書で定義した一般原理は、本開示の趣旨または範囲から逸脱することなく他の実施形態に適用できる。したがって、本開示は、本明細書で示した実施形態に限定されるものではなく、本明細書で開示した原理および新規の特徴に一致する最も広い範囲を与られるべきである。
以下に本願発明の当初の特許請求の範囲に記載された発明を付記する。
［１］  ワイヤレス通信ネットワークにおいてモバイルエンティティの送信電力を制御するための方法であって、前記ワイヤレス通信ネットワークのサービングＮｏｄｅＢと前記モバイルエンティティとの間のワイヤレスリンクの経路損失が前記ワイヤレスネットワークの非サービングＮｏｄｅＢと前記モバイルエンティティとの間のワイヤレスリンクの経路損失の最小値を超える量を示す、差を決定することと、前記差に比例して、前記サービングＮｏｄｅＢへの高速専用物理制御チャネル上での送信に関するトラフィック対パイロット送信電力オフセットを引き上げるように、前記モバイルエンティティに命令することとを備える、方法。
［２］  前記差を決定することが、前記モバイルエンティティによって報告された前記サービングＮｏｄｅＢと前記モバイルエンティティとの間の経路損失を、前記モバイルエンティティによって報告された前記非サービングＮｏｄｅＢと前記モバイルエンティティとの間の１つまたは複数の経路損失の最小値と比較することをさらに備える、［１］に記載の方法。
［３］  前記差を決定することが、前記サービングＮｏｄｅＢからの受信総広帯域電力（ＲＴＷＰ）を前記非サービングＮｏｄｅＢの１つまたは複数からのＲＴＷＰの最小値と比較することをさらに備える、［２］に記載の方法。
［４］  前記差を決定することが、前記サービングＮｏｄｅＢからの前記経路損失およびＲＴＷＰの集計を、前記非サービングＮｏｄｅＢのうちの１つまたは複数の中の前記経路損失およびＲＴＷＰの最小の集計と比較することをさらに備える、［３］に記載の方法。
［５］  前記差を決定することが、前記サービングＮｏｄｅＢに関する目標ＲＴＷＰを、前記非サービングＮｏｄｅＢの１つまたは複数によって報告された目標ＲＴＷＰの最小値と比較することをさらに備える、［２］に記載の方法。
［６］  前記差を決定することが、前記サービングＮｏｄｅＢに関する前記経路損失および目標ＲＴＷＰの集計を、前記非サービングＮｏｄｅＢのうちの１つまたは複数の中の前記経路損失および前記目標ＲＴＷＰの最小の集計と比較することをさらに備える、［５］に記載の方法。
［７］  前記差を決定することが、前記サービングＮｏｄｅＢからの受信総広帯域電力（ＲＴＷＰ）を前記非サービングＮｏｄｅＢの１つまたは複数からのＲＴＷＰの最小値と比較することをさらに備える、［１］に記載の方法。
［８］  前記差を決定することが、前記サービングＮｏｄｅＢに関する目標ＲＴＷＰを、前記非サービングＮｏｄｅＢの１つまたは複数によって報告された目標ＲＴＷＰの最小値と比較することをさらに備える、［１］に記載の方法。
［９］  前記差を決定することが、前記ワイヤレス通信ネットワークのサービングＮｏｄｅＢの共通パイロットチャネル（ＣＰＩＣＨ）送信電力を、非サービングＮｏｄｅＢの最小ＣＰＩＣＨ送信電力と比較することをさらに備える、［１］に記載の方法。
［１０］  前記差を決定することが、前記サービングＮｏｄｅＢの受信総広帯域電力（ＲＴＷＰ）と前記サービングＮｏｄｅＢに関する目標ＲＴＷＰとのうちの少なくとも１つとともに集計された前記サービングＮｏｄｅＢの前記ＣＰＩＣＨ送信電力を、前記非サービングＮｏｄｅＢの１つまたは複数によって報告された前記非サービングＮｏｄｅＢの１つまたは複数の中の、ＣＰＩＣＨ送信電力と、ＲＴＷＰおよび目標ＲＴＷＰのうちの対応する１つとの最小の集計と、比較することをさらに備える、［９］に記載の方法。
［１１］  ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を決定し、前記差に比例して、前記サービングＮｏｄｅＢへの高速専用物理制御上での送信に関するトラフィック対パイロット送信電力オフセットを引き上げるように、前記モバイルエンティティに命令するように構成された、少なくとも１つのプロセッサと、前記少なくとも１つのプロセッサに結合された、データを記憶するためのメモリとを備える、装置。
［１２］  前記プロセッサが、前記モバイルエンティティによって報告された前記サービングＮｏｄｅＢと前記モバイルエンティティとの間の経路損失を、前記モバイルエンティティによって報告された前記非サービングＮｏｄｅＢと前記モバイルエンティティとの間の１つまたは複数の経路損失の最小値と比較することによって、前記差を決定するようにさらに構成された、［１１］に記載の装置。
［１３］  前記プロセッサが、前記サービングＮｏｄｅＢの受信総広帯域電力（ＲＴＷＰ）と前記サービングＮｏｄｅＢに関する目標ＲＴＷＰとのうちの少なくとも１つとともに集計された前記サービングＮｏｄｅＢからの前記経路損失を、前記非サービングＮｏｄｅＢの１つまたは複数によって報告された、前記非サービングＮｏｄｅＢの１つまたは複数の中の、前記経路損失と、ＲＴＷＰおよび目標ＲＴＷＰのうちの対応する１つとの、最小の集計と比較することによって、前記差を決定するようにさらに構成された、［１２］に記載の装置。
［１４］  前記プロセッサが、前記ワイヤレス通信ネットワークのサービングＮｏｄｅＢの共通パイロットチャネル（ＣＰＩＣＨ）送信電力を、非サービングＮｏｄｅＢの最小ＣＰＩＣＨ送信電力と比較することによって、前記差を決定するようにさらに構成された、［１１］に記載の装置。
［１５］  前記プロセッサが、前記サービングＮｏｄｅＢの受信総広帯域電力（ＲＴＷＰ）と前記サービングＮｏｄｅＢの目標ＲＴＷＰとのうちの少なくとも１つとともに集計された前記サービングＮｏｄｅＢの前記ＣＰＩＣＨ送信電力を、前記非サービングＮｏｄｅＢの１つまたは複数によって報告された、前記非サービングＮｏｄｅＢのうちの１つまたは複数の中の、ＣＰＩＣＨ送信電力と、ＲＴＷＰおよび目標ＲＴＷＰのうちの対応する１つとの、最小の集計と比較することによって、前記差を決定するようにさらに構成された、［１４］に記載の装置。
［１６］  ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクの経路損失の最小値を超える量を示す、差を決定する手段と、前記差に比例して、前記サービングＮｏｄｅＢへの高速専用物理制御上での送信に関するトラフィック対パイロット送信電力オフセットを引き上げるように前記モバイルエンティティに命令する手段とを備える、装置。
［１７］  コンピュータに、ワイヤレス通信ネットワークのサービングＮｏｄｅＢとモバイルエンティティとの間のワイヤレスリンクの経路損失が前記ワイヤレスネットワークの非サービングＮｏｄｅＢと前記モバイルエンティティとの間のワイヤレスリンクの経路損失の最小値を超える量を示す、差を決定させ、前記差に比例して、前記サービングＮｏｄｅＢへの高速専用物理制御上での送信に関するトラフィック対パイロット送信電力オフセットを引き上げるように、前記モバイルエンティティへ命令させるためのコードを備える、非一時的コンピュータ可読媒体を備える、コンピュータプログラム製品。
［１８］  ワイヤレス通信ネットワークのモバイルエンティティにおいて送信電力を制御するための方法であって、前記ワイヤレス通信ネットワークのサービングＮｏｄｅＢと前記モバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を受信することと、前記差に比例して、前記サービングＮｏｄｅＢへの高速専用物理制御チャネル上での送信に関するトラフィック対パイロット送信電力オフセットを引き上げることとを備える、方法。
［１９］  前記サービングＮｏｄｅＢと前記モバイルエンティティとの間の経路損失と、前記非サービングＮｏｄｅＢと前記モバイルエンティティとの間の１つまたは複数の経路損失とを、前記差を決定するために無線ネットワークコントローラに報告することをさらに備える、［１８］に記載の方法。
［２０］  前記サービングＮｏｄｅＢからの受信総広帯域電力（ＲＴＷＰ）と、前記非サービングＮｏｄｅＢの１つまたは複数からのＲＴＷＰとを、前記差を決定するために無線ネットワークコントローラに報告することをさらに備える、［１８］に記載の方法。
［２１］  ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を受信し、前記差に比例して、前記サービングＮｏｄｅＢへの高速専用物理制御チャネル上での送信に関するトラフィック対パイロット送信電力オフセットを引き上げるように構成された、少なくとも１つのプロセッサと、前記少なくとも１つのプロセッサに結合された、データを記憶するためのメモリとを備える、装置。
［２２］  前記プロセッサが、前記サービングＮｏｄｅＢと前記モバイルエンティティとの間の経路損失と、前記非サービングＮｏｄｅＢと前記モバイルエンティティとの間の１つまたは複数の経路損失とを、前記差を決定するために無線ネットワークコントローラに報告するようにさらに構成された、［２１］に記載の装置。
［２３］  前記プロセッサが、前記サービングＮｏｄｅＢからの受信総広帯域電力（ＲＴＷＰ）と、前記非サービングＮｏｄｅＢの１つまたは複数からのＲＴＷＰとを、前記差を決定するために無線ネットワークコントローラに報告するようにさらに構成された、［２１］に記載の装置。
［２４］  ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクに関する経路損失の最小値を超える量を示す、差を受信する手段と、前記差に比例して、前記サービングＮｏｄｅＢへの高速専用物理制御チャネル上での送信に関するトラフィック対パイロット送信電力オフセットを引き上げる手段とを備える、装置。
［２５］  コンピュータに、ワイヤレス通信ネットワークのサービングＮｏｄｅＢとモバイルエンティティとの間のワイヤレスリンクに関する経路損失が前記ワイヤレスネットワークの非サービングＮｏｄｅＢと前記モバイルエンティティとの間のワイヤレスリンクの経路損失の最小値を超える量を示す、差を受信させ、前記差に比例して、前記サービングＮｏｄｅＢへの高速専用物理制御上での送信に関するトラフィック対パイロット送信電力オフセットを引き上げさせるためのコードを備える、非一時的コンピュータ可読媒体を備える、コンピュータプログラム製品。
［２６］  ワイヤレス通信ネットワークの１つまたは複数のモバイルエンティティからの共通パイロットチャネル（ＣＰＩＣＨ）送信のための、経路損失を均等化する方法であって、減衰係数を、ゼロと、前記ワイヤレス通信ネットワークのサービングＮｏｄｅＢのＣＰＩＣＨ送信電力と前記モバイルエンティティに関わるソフトハンドオーバー手順に参加することが可能な非サービングＮｏｄｅＢのＣＰＩＣＨ送信電力との差と、から選択される最大値として決定することと、前記減衰係数に応じて、前記非サービングＮｏｄｅＢにおいて前記モバイルエンティティからの電力を減衰させることとを備える、方法。
［２７］  前記非サービングＮｏｄｅＢにおいて電力を減衰させることが、減衰器ハードウェアを使用してすべての入来するワイヤレス信号について実行される、［２６］に記載の方法。
［２８］  前記非サービングＮｏｄｅＢにおいて電力を減衰させることが、アップリンク電力制御アルゴリズムにおいて、推定される干渉プラスノイズを修正することによって、前記サービングＮｏｄｅＢによってサービスされるモバイルエンティティからのワイヤレス信号について実行される、［２６］に記載の方法。
［２９］  前記アップリンク電力制御アルゴリズムが、前記非サービングＮｏｄｅＢに関するノイズフロアを差し引いた、前記非サービングＮｏｄｅＢへの前記モバイルエンティティのリンクに関する前記減衰係数プラスノイズを加算することによって、前記推定される干渉プラスノイズを修正する、［２８］に記載の方法。
［３０］  前記サービングＮｏｄｅＢからのワイヤレスブロードキャストを通じて、前記サービングＮｏｄｅＢの前記ＣＰＩＣＨ送信電力を取得することをさらに備える、［２６］に記載の方法。
［３１］  バックホール接続を介したサービングＮｏｄｅＢへの要求によって、前記サービングＮｏｄｅＢの前記ＣＰＩＣＨ送信電力を取得することをさらに備える、［２６］に記載の方法。
［３２］  減衰係数を、ゼロと、前記ワイヤレス通信ネットワークのサービングＮｏｄｅＢのＣＰＩＣＨ送信電力と前記モバイルエンティティに関わるソフトハンドオーバー手順に参加することが可能な非サービングＮｏｄｅＢのＣＰＩＣＨ送信電力との差と、から選択される最大値として決定し、前記減衰係数に応じて、前記非サービングＮｏｄｅＢにおいて前記モバイルエンティティからの電力を減衰させるように構成された、少なくとも１つのプロセッサと、前記少なくとも１つのプロセッサに結合された、データを記憶するためのメモリとを備える、装置。
［３３］  前記プロセッサが、前記非サービングＮｏｄｅＢにおいてすべての入来するワイヤレス信号について無差別に電力を減衰させるようにさらに構成された、［３２］に記載の装置。
［３４］  前記プロセッサが、アップリンク電力制御アルゴリズムにおいて推定される干渉プラスノイズを修正することによって、前記非サービングＮｏｄｅＢにおいて、前記サービングＮｏｄｅＢによってサービスされるモバイルエンティティからのワイヤレス信号について差別的に電力を減衰させるようにさらに構成された、［３２］に記載の装置。
［３５］  前記プロセッサが、前記非サービングＮｏｄｅＢに関するノイズフロアを差し引いた、前記非サービングＮｏｄｅＢへの前記モバイルエンティティのリンクに関する前記減衰係数プラスノイズを加算することによって、前記推定される干渉プラスノイズを修正するようにさらに構成された、［３２］に記載の装置。
［３６］  減衰係数を、ゼロと、前記ワイヤレス通信ネットワークのサービングＮｏｄｅＢのＣＰＩＣＨ送信電力と前記モバイルエンティティに関わるソフトハンドオーバー手順に参加することが可能な非サービングＮｏｄｅＢのＣＰＩＣＨ送信電力との差と、から選択される最大値として決定する手段と、前記減衰係数に応じて、前記非サービングＮｏｄｅＢにおいて前記モバイルエンティティからの電力を減衰させる手段とを備える、装置。
［３７］  コンピュータに、減衰係数を、ゼロと、前記ワイヤレス通信ネットワークのサービングＮｏｄｅＢのＣＰＩＣＨ送信電力と前記モバイルエンティティに関わるソフトハンドオーバー手順に参加することが可能な非サービングＮｏｄｅＢのＣＰＩＣＨ送信電力との差と、から選択される最大値として決定させ、前記減衰係数に応じて、前記非サービングＮｏｄｅＢにおいて前記モバイルエンティティからの電力を減衰させるためのコードを備える、非一時的コンピュータ可読媒体を備える、コンピュータプログラム製品。
［３８］  ワイヤレス通信ネットワークのモバイルエンティティからの送信電力を制御するための方法であって、前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を決定することと、前記ＳＩＲ目標調整係数に応じて、調整されたＳＩＲ目標を前記非サービングＮｏｄｅＢに与えることとを備える、方法。
［３９］  ゼロと、（ａ）前記モバイルエンティティからの経路損失とサービングＮｏｄｅＢの受信総広帯域電力（ＲＴＷＰ）との和と（ｂ）前記モバイルエンティティからの経路損失と前記非サービングＮｏｄｅＢのＲＴＷＰとの和との差と、から選択された最大値として、前記ＳＩＲ目標調整係数を決定することをさらに備える、［３８］に記載の方法。
［４０］  前記ＳＩＲ目標調整係数を、ゼロと、前記サービングＮｏｄｅＢのＣＰＩＣＨ送信電力と前記非サービングＮｏｄｅＢのＣＰＩＣＨ送信電力との差と、から選択される最大値として決定することをさらに備える、［３８］に記載の方法。
［４１］  前記サービングＮｏｄｅＢと前記非サービングＮｏｄｅＢとの間の目標ＲＴＷＰの差を組み込むように、前記ＳＩＲ目標調整係数を決定することをさらに備える、［３８］に記載の方法。
［４２］  ゼロと、（ａ）前記モバイルエンティティからの経路損失とサービングＮｏｄｅＢに関する目標ＲＴＷＰとの和と（ｂ）前記モバイルエンティティからの経路損失と前記非サービングＮｏｄｅＢの目標ＲＴＷＰとの和との差と、から選択された最大値として、前記ＳＩＲ目標調整係数を決定することをさらに備える、［４１］に記載の方法。
［４３］  前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を決定し、前記ＳＩＲ目標調整係数に基づいて、調整されたＳＩＲ目標を前記非サービングＮｏｄｅＢに提供するように構成される、少なくとも１つのプロセッサと、前記少なくとも１つのプロセッサに結合された、データを記憶するためのメモリとを備える、装置。
［４４］  前記少なくとも１つのプロセッサが、ゼロと、（ａ）前記モバイルエンティティからの経路損失とサービングＮｏｄｅＢの受信総広帯域電力（ＲＴＷＰ）との和と（ｂ）前記モバイルエンティティからの経路損失と前記非サービングＮｏｄｅＢのＲＴＷＰとの和との差と、から選択された最大値として、前記ＳＩＲ目標調整係数を決定するようにさらに構成された、［４３］に記載の装置。
［４５］  前記少なくとも１つのプロセッサが、前記ＳＩＲ目標調整係数を、ゼロと、前記サービングＮｏｄｅＢのＣＰＩＣＨ送信電力と前記非サービングＮｏｄｅＢのＣＰＩＣＨ送信電力との差と、から選択される最大値として決定するようにさらに構成された、［４３］に記載の装置。
［４６］  前記少なくとも１つのプロセッサが、前記サービングＮｏｄｅＢと前記非サービングＮｏｄｅＢとの間の目標受信総広帯域電力（ＲＴＷＰ）の差を組み込むように、前記ＳＩＲ目標調整係数を決定するようにさらに構成された、［４３］に記載の装置。
［４７］  前記少なくとも１つのプロセッサが、ゼロと、（ａ）前記モバイルエンティティからの経路損失とサービングＮｏｄｅＢに関する目標ＲＴＷＰとの和と（ｂ）前記モバイルエンティティからの経路損失と前記非サービングＮｏｄｅＢの目標ＲＴＷＰとの和との差と、から選択された最大値として、前記ＳＩＲ目標調整係数を決定するようにさらに構成された、［４６］に記載の装置。
［４８］  前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を決定する手段と、前記ＳＩＲ目標調整量係数に応じて、調整されたＳＩＲ目標を前記非サービングＮｏｄｅＢに与える手段とを備える、装置。
［４９］  コンピュータに、前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を決定させ、前記ＳＩＲ目標調整係数に基づいて、調整されたＳＩＲ目標を前記非サービングＮｏｄｅＢへ提供させるためのコードを備える、非一時的コンピュータ可読媒体を備える、コンピュータプログラム製品。
［５０］  ワイヤレス通信ネットワークのモバイルエンティティからの送信電力を制御するための方法であって、前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を受信することと、前記ＳＩＲ目標調整係数に従って、前記非サービングＮｏｄｅＢ上でのＳＩＲ目標を調整することとを備える、方法。
［５１］  前記非サービングＮｏｄｅＢのＣＰＩＣＨ送信電力を、前記ＳＩＲ目標調整係数を決定するために無線ネットワークコントローラ（ＲＮＣ）に提供することをさらに備える、［５０］に記載の方法。
［５２］  前記ＳＩＲ目標調整係数によって調整された前記ＳＩＲ目標を前記モバイルエンティティに提供することをさらに備える、［５０］に記載の方法。
［５３］  前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を受信し、前記ＳＩＲ目標調整係数に従って、前記非サービングＮｏｄｅＢ上でのＳＩＲ目標を調整するように構成される、少なくとも１つのプロセッサと、前記少なくとも１つのプロセッサに結合された、データを記憶するためのメモリとを備える、装置。
［５４］  前記少なくとも１つのプロセッサが、前記非サービングＮｏｄｅＢのＣＰＩＣＨ送信電力を、前記ＳＩＲ目標調整係数を決定するために無線ネットワークコントローラ（ＲＮＣ）に提供するようにさらに構成された、［５３］に記載の装置。
［５５］  前記少なくとも１つのプロセッサが、前記ＳＩＲ目標調整係数によって調整された前記ＳＩＲ目標を前記モバイルエンティティに提供するようにさらに構成された、［５３］に記載の装置。
［５６］  前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を受信する手段と、前記ＳＩＲ目標調整係数に従って、前記非サービングＮｏｄｅＢ上でＳＩＲ目標を調整する手段とを備える、装置。
［５７］  コンピュータに、前記モバイルエンティティについてのサービングＮｏｄｅＢと、前記サービングＮｏｄｅＢとのソフトハンドオーバー手順に参加することが可能な非サービングＮｏｄｅＢとに関する、差分経路損失、ＣＰＩＣＨ送信電力、および受信総広帯域電力（ＲＴＷＰ）基準のうちの少なくとも１つに基づいて、信号対干渉（ＳＩＲ）目標調整量係数を受信させ、前記ＳＩＲ目標調整係数に従って、前記非サービングＮｏｄｅＢ上でＳＩＲ目標を調整させるためのコードを備える、非一時的コンピュータ可読媒体を備える、コンピュータプログラム製品。
［５８］  ワイヤレス通信ネットワークにおいてモバイルエンティティのためのサービングＮｏｄｅＢを選択するための方法であって、前記モバイルエンティティにおける総受信パワースペクトル密度に対するパイロットエネルギーのダウンリンク比（Ｅｃｐ／Ｉｏ）と、少なくとも１つの二次的な基準とを、前記ワイヤレスネットワークの複数のＮｏｄｅＢの各々について決定することと、前記複数のＮｏｄｅＢについての前記Ｅｃｐ／Ｉｏの最大値を決定することと、（ａ）前記選択されたＮｏｄｅＢが最大のＥｃｐ／Ｉｏよりも定義された量だけ少ないものを上回らないＥｃｐ／Ｉｏを有し、（ｂ）前記選択されたＮｏｄｅＢが前記二次的な基準に従って前記最大のＥｃｐ／Ｉｏを有する前記ＮｏｄｅＢよりも高くランク付けられるように、前記モバイルエンティティに関する前記サービングＮｏｄｅＢとして、前記複数のＮｏｄｅＢから１つのＮｏｄｅＢを選択することとを備える、方法。
［５９］  前記二次的な基準が、ダウンリンク負荷を備え、前記選択されたＮｏｄｅＢが、前記最大のＥｃｐ／Ｉｏを有する前記ＮｏｄｅＢに関する前記ダウンリンク負荷よりも前記選択されたＮｏｄｅＢに関する前記ダウンリンク負荷が小さいことに応答して、より高くランク付けられる、［５８］に記載の方法。
［６０］  前記二次的な基準が、アップリンク経路損失を備え、選択されたＮｏｄｅＢが、前記最大のＥｃｐ／Ｉｏを有する前記ＮｏｄｅＢに関する前記アップリンク経路損失よりも前記選択されたＮｏｄｅＢに関する前記アップリンク経路損失が小さいことに応答して、より高くランク付けられる、［５８］に記載の方法。
［６１］  前記二次的な基準が、アップリンクパワースペクトル密度を備え、前記選択されたＮｏｄｅＢが、前記最大のＥｃｐ／Ｉｏを有する前記ＮｏｄｅＢに関する前記アップリンクパワースペクトル密度よりも前記選択されたＮｏｄｅＢに関する前記アップリンクパワースペクトル密度が小さいことに応答して、より高くランク付けられる、［５８］に記載の方法。
［６２］  前記二次的な基準が、アップリンク経路損失およびアップリンクパワースペクトル密度の集計を備え、前記選択されたＮｏｄｅＢが、前記最大のＥｃｐ／Ｉｏを有する前記ＮｏｄｅＢに関するアップリンク経路損失とアップリンクパワースペクトル密度との集計よりも前記選択されたＮｏｄｅＢに関するアップリンク経路損失とアップリンクパワースペクトル密度との和が小さいことに応答して、より高くランク付けられる、［５８］に記載の方法。
［６３］  前記二次的な基準が、電力リソースを備え、前記選択されたＮｏｄｅＢが、前記最大のＥｃｐ／Ｉｏを有する前記ＮｏｄｅＢに関する前記電力リソースよりも前記選択されたＮｏｄｅＢに関する前記電力リソースが大きいことに応答して、より高くランク付けられる、［５８］に記載の方法。
［６４］  前記ワイヤレスネットワークの複数のＮｏｄｅＢの各々について、前記モバイルエンティティにおける総受信パワースペクトル密度に対するパイロットエネルギーのダウンリンク比（Ｅｃｐ／Ｉｏ）と、少なくとも１つの二次的な基準とを決定し、前記複数のＮｏｄｅＢに関する前記Ｅｃｐ／Ｉｏの最大値を決定し、（ａ）選択されたＮｏｄｅＢが最大のＥｃｐ／Ｉｏよりも定義された量だけ少ないものを上回らないＥｃｐ／Ｉｏを有し、（ｂ）前記選択されたＮｏｄｅＢが前記二次的な基準に従って前記最大のＥｃｐ／Ｉｏを有する前記ＮｏｄｅＢよりも高くランク付けられるように、前記モバイルエンティティに関する前記サービングＮｏｄｅＢとして、前記複数のＮｏｄｅＢから１つのＮｏｄｅＢを選択するように構成される、少なくとも１つのプロセッサと、前記少なくとも１つのプロセッサに結合された、データを記憶するためのメモリとを備える、装置。
［６５］  前記最大のＥｃｐ／Ｉｏを有する前記ＮｏｄｅＢに関するダウンリンク負荷よりも前記選択されたＮｏｄｅＢの前記ダウンリンク負荷が小さいことに応答して、前記選択されたＮｏｄｅＢがより高くランク付けられるように、前記少なくとも１つのプロセッサが、前記ダウンリンク負荷を備える前記二次的な基準を決定するようにさらに構成される、［６４］に記載の装置。
［６６］  前記最大のＥｃｐ／Ｉｏを有する前記ＮｏｄｅＢのアップリンク経路損失よりも前記選択されたＮｏｄｅＢの前記アップリンク経路損失が小さいことに応答して、前記選択されたＮｏｄｅＢがより高くランク付けられるように、前記少なくとも１つのプロセッサが、前記アップリンク経路損失を備える前記二次的な基準を決定するようにさらに構成される、［６４］に記載の装置。
［６７］  前記最大のＥｃｐ／Ｉｏを有する前記ＮｏｄｅＢのアップリンクパワースペクトル密度よりも前記選択されたＮｏｄｅＢの前記アップリンクパワースペクトル密度が小さいことに応答して、前記選択されたＮｏｄｅＢがより高くランク付けられるように、前記少なくとも１つのプロセッサが、前記アップリンクパワースペクトル密度を備える前記二次的な基準を決定するようにさらに構成される、［６４］に記載の装置。
［６８］  前記最大のＥｃｐ／Ｉｏを有する前記ＮｏｄｅＢのアップリンク経路損失とアップリンクパワースペクトル密度との集計よりも前記選択されたＮｏｄｅＢのアップリンク経路損失とアップリンクパワースペクトル密度との和が小さいことに応答して、前記選択されたＮｏｄｅＢがより高くランク付けられるように、前記少なくとも１つのプロセッサが、前記アップリンク経路損失と前記アップリンクパワースペクトル密度との集計を備える前記二次的な基準を決定するようにさらに構成される、［６４］に記載の装置。
［６９］  前記最大のＥｃｐ／Ｉｏを有する前記ＮｏｄｅＢの電力リソースよりも前記選択されたＮｏｄｅＢの前記電力リソースが大きいことに応答して、前記選択されたＮｏｄｅＢがより高くランク付けられるように、前記少なくとも１つのプロセッサが、前記電力リソースを備える前記二次的な基準を決定するようにさらに構成される、［６４］に記載の装置。
［７０］  前記モバイルエンティティにおける総受信パワースペクトル密度に対するパイロットエネルギーのダウンリンク比（Ｅｃｐ／Ｉｏ）と、少なくとも１つの二次的な基準とを、前記ワイヤレスネットワークの複数のＮｏｄｅＢの各々について決定する手段と、前記複数のＮｏｄｅＢに関する前記Ｅｃｐ／Ｉｏの最大値を決定する手段と、（ａ）選択されたＮｏｄｅＢが最大のＥｃｐ／Ｉｏよりも定義された量だけ少ないものを上回らないＥｃｐ／Ｉｏを有し、（ｂ）前記選択されたＮｏｄｅＢが前記二次的な基準に従って前記最大のＥｃｐ／Ｉｏを有する前記ＮｏｄｅＢよりも高くランク付けられるように、前記モバイルエンティティについての前記サービングＮｏｄｅＢとして、前記複数のＮｏｄｅＢから１つのＮｏｄｅＢを選択する手段とを備える、装置。
［７１］  コンピュータに、前記ワイヤレスネットワークの複数のＮｏｄｅＢの各々について、前記モバイルエンティティにおける総受信パワースペクトル密度に対するパイロットエネルギーのダウンリンク比（Ｅｃｐ／Ｉｏ）と、少なくとも１つの二次的な基準とを決定させ、前記複数のＮｏｄｅＢに関する前記Ｅｃｐ／Ｉｏの最大値を決定させ、（ａ）選択されたＮｏｄｅＢが最大のＥｃｐ／Ｉｏよりも定義された量だけ少ないものを上回らないＥｃｐ／Ｉｏを有し、（ｂ）前記選択されたＮｏｄｅＢが前記二次的な基準に従って前記最大のＥｃｐ／Ｉｏを有する前記ＮｏｄｅＢよりも高くランク付けられるように、前記モバイルエンティティに関する前記サービングＮｏｄｅＢとして、前記複数のＮｏｄｅＢから１つのＮｏｄｅＢを選択させる、ためのコードを備える、非一時的コンピュータ可読媒体を備える、コンピュータプログラム製品。
【図１】
0005628444.tif 000017
【図２】
0005628444.tif 000018
【図３】
0005628444.tif 000019
【図４】
0005628444.tif 000020
【図５】
0005628444.tif 000021
【図６】
0005628444.tif 000022
【図７】
0005628444.tif 000023
【図８Ａ】
0005628444.tif 000024
【図８Ｂ】
0005628444.tif 000025
【図８Ｃ】
0005628444.tif 000026
【図９】
0005628444.tif 000027
【図１０】
0005628444.tif 000028
【図１１】
0005628444.tif 000029
【図１２】
0005628444.tif 000030
【図１３】
0005628444.tif 000031
【図１４】
0005628444.tif 000032
【図１５】
0005628444.tif 000033
【図１６】
0005628444.tif 000034
【図１７】
0005628444.tif 000035
【図１８】
0005628444.tif 000036
【図１９】
0005628444.tif 000037
【図２０】
0005628444.tif 000038
【図２１】
0005628444.tif 000039